(57)【要約】  軽量であるとともに十分な強度を備えた釣り糸ガイドが提供される。釣り糸ガイド（１０００）は、釣り竿（１００）の管状竿（１１３）に取り付けられて釣り糸を案内する。釣り糸ガイド（１０００）は、樹脂材料からなる取付部（１１００）と、釣り糸（１３０）が通るガイドリング（１２００）と、金属製の薄板からなるリングサポートと（１３００）を含む。リングサポート（１３００）は、取付部（１１００）と部分的に結合し、ガイドリング（１２００）を支持する。リングサポート（１３００）は、リング保持部（１３１０）とリング支持部（１３２０）を含む。リング保持部（１３１０）は、ガイドリング（１２００）が結合するリング保持孔（１３１１）を有する。リング支持部（１３２０）は、リング保持部（１３１０）と一体に形成され、取付部（１１００）に部分的に埋め込まれて取付部（１１００）と結合する。リング支持部（１３２０）は、リング支持部（１３２０）内で管状竿（１１３）に向かう下方方向にリング支持部（１３２０）の下端まで延長する第１曲げ部（１３３１）を基準として、第１曲げ角（ＢＡ１）で曲げられている。
2019142622.tif 000002
【特許請求の範囲】
【請求項１】
釣り竿の管状竿に取り付けられて釣り糸を案内する釣り糸ガイドであって、
樹脂材料からなる取付部と、
釣り糸が通過するガイドリングと、
金属製の薄板からなり、前記取付部と部分的に結合して前記ガイドリングを支持するリングサポートと、を含み、
前記リングサポートは、前記ガイドリングが結合するリング保持孔を有するリング保持部と、前記リング保持部と一体に形成され、前記取付部に部分的に埋め込まれて前記取付部と結合するリング支持部と、を含み、
前記リング支持部は、前記リング支持部内で前記管状竿に向かう下方方向に前記リング支持部の下端まで延長する第１曲げ部を基準として、第１曲げ角（ＢＡ１）で曲げられている、
釣り糸ガイド。
【請求項２】
前記第１曲げ角（ＢＡ１）は、１２０度〜１７０度である、
請求項１に記載の釣り糸ガイド。
【請求項３】
前記釣り竿の中心軸に沿って前記リング支持部の前端と前記リング支持部の後端との間の距離（ＢＴ）は、０．５ｍｍ〜３ｍｍである、
請求項１に記載の釣り糸ガイド。
【請求項４】
前記リング保持部は、前記リング保持部と前記リング支持部との間の境界となり前記第１曲げ部に連結される第２曲げ部を基準として、前記リング支持部に対して前記釣り竿のチップに向かって第２曲げ角（ＢＡ２）で曲げられ、
前記第２曲げ部は、前記リングサポートの一側端から他側端まで延長して前記リング支持部の下端に向かって凸であり、
前記第２曲げ部の中心点は、前記第２曲げ部の両端点より下に位置する、
請求項１に記載の釣り糸ガイド。
【請求項５】
前記第２曲げ角（ＢＡ２）は、１５度〜２０度である、
請求項４に記載の釣り糸ガイド。
【請求項６】
前記第２曲げ部は、前記第１曲げ部と前記第２曲げ部との間の連結点から前記第１曲げ部に対して鈍角で延長する一対の直線状曲げ部を含み、
前記一対の直線状曲げ部間の夾角（ＩＡ１）は、１１０度〜１２０度である、
請求項４に記載の釣り糸ガイド。
【請求項７】
前記第２曲げ部は、前記第１曲げ部と連結される曲線状曲げ部を含む、
請求項４に記載の釣り糸ガイド。
【請求項８】
前記第１曲げ部と前記第２曲げ部はＹ字状を形成する、
請求項４に記載の釣り糸ガイド。
【請求項９】
前記リングサポートは、前記第１曲げ部と前記第２曲げ部に沿って前記リングサポートの内部に形成され前記リング保持部と前記リング支持部より高い降伏点を有する加工硬化部をさらに含む、
請求項４に記載の釣り糸ガイド。
【請求項１０】
前記リング保持孔の最下端点は、前記第２曲げ部の両端点より下に位置し、
前記リング支持部の両側端縁は、０度超３０度以下の夾角（ＩＡ２）で互いに向かって傾いた、
請求項４に記載の釣り糸ガイド。
【請求項１１】
前記リングサポートは、前記取付部から上方方向に延長して互いに遠くなるように傾斜した一対の第１側端縁と、前記一対の第１側端縁から前記上方方向に前記一対の第１側端縁の傾斜角度と異なる角度でそれぞれ延長する一対の第２側端縁と、前記一対の第１側端縁のそれぞれと前記一対の第２側端縁のそれぞれとの間にそれぞれ位置する一対の境界部と、を含み、
前記一対の境界部は、前記第２曲げ部の前記両端点にまたは前記第２曲げ部の前記両端点より上側にそれぞれ位置する、
請求項４に記載の釣り糸ガイド。
【請求項１２】
前記一対の第２側端縁は、０度超３０度以下の夾角（ＩＡ３）で互いに向かって傾いた、
請求項１１に記載の釣り糸ガイド。
【請求項１３】
前記リングサポートは、前記取付部の外側で前記リング支持部に位置し前記第１曲げ部に対して対称に前記リング支持部を貫通して形成された一対の第１開口を有する、
請求項１に記載の釣り糸ガイド。
【請求項１４】
前記リングサポートは、前記取付部の内側で前記リング支持部に位置し前記第１曲げ部に対して対称に前記リング支持部を貫通して形成された一対の第２開口を有し、
前記第２開口は、硬化した前記取付部の前記樹脂材料で満たされた、
請求項１に記載の釣り糸ガイド。
【請求項１５】
前記リングサポートは、前記リング保持部から突出し内周面で前記リング保持孔を限定する補強フランジをさらに含む、
請求項１に記載の釣り糸ガイド。
【請求項１６】
前記補強フランジの内周面は、前記ガイドリングが嵌合される環状の嵌合面と、前記嵌合面に沿って延長して前記嵌合面に対して湾曲した案内面とを含み、
前記ガイドリングは、前記案内面から前記嵌合面に嵌合される、
請求項１５に記載の釣り糸ガイド。
【請求項１７】
前記補強フランジは、前記補強フランジの内周面に形成され前記ガイドリングの外周面と接触する複数の嵌合突起を有し、
前記ガイドリングは、前記ガイドリングの外周面と前記補強フランジの内周面との間に形成された隙間を有して前記嵌合突起に嵌合された、
請求項１５に記載の釣り糸ガイド。
【請求項１８】
前記取付部は、前記管状竿の外周面に嵌合される環状体と、前記環状体の上端で外側半径方向に突出する上方リブと、前記環状体の中心より下に位置して前記外側半径方向に突出する一対の側方リブとを含み、
前記上方リブ及び前記一対の側方リブは、前記釣り竿のバットに向かう後方方向に前記環状体の後端面まで延長し、
前記環状体の後端面が前記上方リブの後端面と前記一対の側方リブの後端面を含む、
請求項１に記載の釣り糸ガイド。
【請求項１９】
前記上方リブは、前記上方リブの後端面から前記釣り竿のチップに向かう前方方向に拡大される幅を有する、
請求項１８に記載の釣り糸ガイド。
【請求項２０】
複数の管状竿と、
前記管状竿のうち１つに取り付けられる請求項１〜請求項１９のいずれか１項に記載の釣り糸ガイドと、を含む、
釣り竿。
【請求項２１】
前記釣り糸ガイドの前記取付部は、第１アライメント標識を有し、前記管状竿の１つは、前記第１アライメント標識と整列される第２アライメント標識を有する、
請求項２０に記載の釣り竿。
【発明の詳細な説明】
【技術分野】
【０００１】
本開示は、釣り糸を案内する釣り糸ガイド及びこれを備える釣り竿に関する。
【背景技術】
【０００２】
仕掛けをキャストする際に、または魚を釣り上げる際に釣り糸をガイドするために釣り糸ガイドが釣り竿の管状竿に取り付けられる。釣り糸ガイドは、釣り糸が通るガイドリングと、ガイドリングを保持及び支持するフレームと、フレームと結合して釣り竿の管状竿に取り付けられる取付部を有する。【０００３】
釣り竿のうち、いわゆる振出式釣り竿（ｔｅｌｅｓｃｏｐｉｃ  ｆｉｓｈｉｎｇ  ｒｏｄ）には、釣り竿の管状竿の外周面に締まり嵌めにより固定される遊動ガイドまたはスライディングガイドが用いられている。遊動ガイドは、釣り竿の管状竿が貫通する環状の取付部を有する。遊動ガイドは、管状竿が取付部を貫通した状態で管状竿に沿って移動可能であり、取付部と管状竿の外周面との間の締まり嵌めにより管状竿に固定される。【０００４】
遊動ガイドの一例として、日本国特許第４２７５４５７号公報（特許文献１）と日本国実公平７−７７２６号公報（特許文献２）は、管状竿に嵌合される環状の取付部と、ガイドリングを支持して取付部に嵌合される取付リングを有する金属製のフレームとを備える遊動ガイドを開示する。
【先行技術文献】
【特許文献】
【０００５】
【特許文献１】日本国特許第４２７５４５７号公報
【特許文献２】日本国実公平７−７７２６号公報
【発明の概要】
【発明が解決しようとする課題】
【０００６】
遊動ガイドを振出式釣り竿に設置するために、遊動ガイドの環状取付部は、釣り竿の後端に向かってスライド移動する。振出式釣り竿の管状竿は、釣り竿の先端へ行くほど直径が小さくなるテーパ状を有する。従って、管状竿の外径と取付部の内径が同一となる位置で、取付部は管状竿の外周面に固定され得る。この時、取付部を釣り竿の後端側に強く押すと、取付部が若干変形され、取付部が管状竿の外周面に締まり嵌めにより固定され得る。【０００７】
仕掛けをキャストする際に、または魚を釣り上げる際に、取付部に結合したフレームに多様な外力が作用する。例えば、釣り竿に横方向に外力がフレームに加えられると、フレームと取付部が管状竿を中心として回転することができ、その場合、遊動ガイドの釣り糸案内機能が喪失する。しかし、環状の取付部と取付リングにより取付部と結合するフレームを有する従来技術の遊動ガイドは、フレームに加えられる横方向の力に抵抗する十分な回転防止強度を有せず、ユーザーがフレームに加える不注意な衝撃、または釣り場所での岩または地面がフレームに加える衝撃により、管状竿を中心として容易に回転することができる。従来技術の遊動ガイドは、管状竿を中心とした回転に抵抗する回転防止強度が大きくなるように設計されていない。また、従来技術の遊動ガイドは、金属製の取付リングがフレームから突出しているため、十分な曲げ強度を有せず、遊動ガイドに発生する釣り糸の糸絡みを円滑に解除することができない。【０００８】
振出式釣り竿は、水辺、浜、磯等での釣りのために用いられる。磯釣りのための振出式釣り竿は、４．５ｍ〜５．５ｍの全長を有することができ、このような振出式釣り竿には、一般に１０個〜１５個の遊動ガイドが取り付けられることができる。仕掛けのキャストを円滑にするために、または魚を容易に釣り上げるためには、軽量の釣り竿が有利であり、このためには、軽量の遊動ガイドが振出式釣り竿に要求される。しかし、金属製の取付リングを有する金属製のフレームにより、従来技術の遊動ガイドは軽量化に応じることができない。【０００９】
開示された実施例は、前述の従来技術の問題を解決した釣り糸ガイドを提供する。
【課題を解決するための手段】
【００１０】
一実施例によると、釣り竿の管状竿を中心とした回転に抵抗する回転防止強度が強い釣り糸ガイドが提供される。一実施例によると、十分な強度を備えながらも、軽量である釣り糸ガイドが提供される。一実施例によると、向上した曲げ強度を有する釣り糸ガイドが提供される。一実施例によると、前述の機能のうち１つ以上を有しながら釣り糸の糸絡みを円滑に解除することができる釣り糸ガイドが提供される。【００１１】
開示された実施例の一側面は、釣り竿の管状竿に取り付けられて釣り糸を案内する釣り糸ガイドに関連する。一実施例において、釣り糸ガイドは、樹脂材料からなる取付部と、釣り糸が通過するガイドリングと、金属製の薄板からなるリングサポートとを含む。リングサポートは、取付部と部分的に結合し、ガイドリングを支持する。リングサポートは、リング保持部とリング支持部を含む。リング保持部は、ガイドリングが結合するリング保持孔を有する。リング支持部は、リング保持部と一体に形成され、取付部に部分的に埋め込まれて取付部と結合する。リング支持部は、リング支持部内で管状竿に向かう下方方向にリング支持部の下端まで延長する第１曲げ部を基準として、第１曲げ角で曲げられている。【００１２】
一実施例において、第１曲げ角は１２０度〜１７０度である。
一実施例において、釣り竿の中心軸に沿ってリング支持部の前端とリング支持部の後端との間の距離は、０．５ｍｍ〜３ｍｍである。【００１３】
一実施例において、リング保持部は、リング保持部とリング支持部との間の境界となり第１曲げ部に連結される第２曲げ部を基準として、リング支持部に対して釣り竿のチップに向かって第２曲げ角で曲げられている。第２曲げ部は、リングサポートの一側端から他側端まで延長し、リング支持部の下端に向かって凸である。第２曲げ部の中心点は、第２曲げ部の両端点より下に位置する。【００１４】
一実施例において、第２曲げ角は１５度〜２０度である。
一実施例において、第２曲げ部は、第１曲げ部と第２曲げ部との間の連結点から第１曲げ部に対して鈍角で延長する一対の直線状曲げ部を含む。一対の直線状曲げ部間の夾角は１１０度〜１２０度である。【００１５】
一実施例において、第２曲げ部は、第１曲げ部と連結される曲線状曲げ部を含む。
一実施例において、第１曲げ部と第２曲げ部はＹ字状を形成することができる。【００１６】
一実施例において、リングサポートは、第１曲げ部と第２曲げ部に沿ってリングサポートの内部に形成されリング保持部とリング支持部より高い降伏点を有する加工硬化部を含む。【００１７】
一実施例において、リング保持孔の最下端点は第２曲げ部の両端点より下に位置し、リング支持部の両側端縁は、０度超３０度以下の夾角で互いに向かって傾く。【００１８】
一実施例において、リングサポートの各側端縁は、取付部から上方方向に延長して互いに遠くなるように傾斜した一対の第１側端縁と、一対の第１側端縁から上方方向に一対の第１側端縁の傾斜角度と異なる角度でそれぞれ延長する一対の第２側端縁と、一対の第１側端縁のそれぞれと一対の第２側端縁のそれぞれとの間にそれぞれ位置する一対の境界部と、を含む。一対の境界部は、第２曲げ部の両端点にまたは第２曲げ部の両端点より上側に位置する。一対の第２側端縁は、０度超３０度以下の夾角で互いに向かって傾いている。【００１９】
一実施例において、リングサポートは、取付部の外側でリング支持部に位置し第１曲げ部に対して対称にリング支持部を貫通して形成された一対の第１開口を有する。【００２０】
一実施例において、リングサポートは、取付部の内側でリング支持部に位置し第１曲げ部に対して対称にリング支持部を貫通して形成された一対の第２開口を有する。第２開口は、硬化した取付部の樹脂材料で満たされる。【００２１】
一実施例において、リングサポートは、リング保持部から突出し内周面でリング保持孔を限定する補強フランジを含む。【００２２】
一実施例において、補強フランジの内周面は、ガイドリングが嵌合される環状の嵌合面と、嵌合面に沿って延長して嵌合面に対して湾曲した案内面とを含む。ガイドリングは、案内面から嵌合面に嵌合され得る。【００２３】
一実施例において、補強フランジは、補強フランジの内周面に形成されガイドリングの外周面と接触する複数の嵌合突起を有する。ガイドリングは、ガイドリングの外周面と補強フランジの内周面との間に形成された隙間を有して嵌合突起に嵌合される。【００２４】
一実施例において、取付部は、管状竿の外周面に嵌合される環状体と、環状体の上端で外側半径方向に突出する上方リブと、環状体の中心より下に位置して外側半径方向に突出する一対の側方リブとを含む。上方リブ及び一対の側方リブは、釣り竿のバットに向かう後方方向に環状体の後端面まで延長し、環状体の後端面が上方リブの後端面と一対の側方リブの後端面を含む。【００２５】
一実施例において、上方リブは、上方リブの後端面から釣り竿のチップに向かう前方方向に拡大される幅を有する。【００２６】
開示された実施例のもう１つの側面は、前述の実施例の釣り糸ガイドを備えた釣り竿に関連する。【００２７】
一実施例の釣り竿は、複数の管状竿と、管状竿のうち１つに取り付けられる前述の実施例の釣り糸ガイドと、を含む。【００２８】
一実施例において、釣り糸ガイドの取付部は、第１アライメント標識を有し、管状竿のうち１つは、第１アライメント標識と整列される第２アライメント標識を有する。
【発明の効果】
【００２９】
一実施例による釣り糸ガイドによると、リングサポートの曲げ構造により、釣り糸ガイドの回転防止強度が向上することができる。また、リングサポートの曲げ構造により、釣り糸ガイドの曲げ強度及び全体的な強度が向上することができる。一実施例による釣り糸ガイドによると、釣り糸ガイドは、向上した回転防止強度を有しながら軽量を有する。一実施例による釣り糸ガイドによると、釣り糸ガイドは、向上した回転防止強度と曲げ強度を有しながら、釣り糸の糸絡みを円滑に解除する。
【図面の簡単な説明】
【００３０】
【図１】本開示の一実施例による釣り糸ガイドを備える釣り竿の一例を示す図である。
【図２】本開示の第１実施例による釣り糸ガイドを示す斜視図である。
【図３】図２に示す釣り糸ガイドの分解斜視図である。
【図４】図２に示す釣り糸ガイドの平面図である。
【図５】図２に示す取付部を示す平面図である。
【図６】図２に示す釣り糸ガイドの右側面図である。
【図７】図２の７−７線に沿ってとった釣り糸ガイドの断面図である。
【図８】図３に示すリングサポートを示す斜視図である。
【図９】図８の９−９線に沿ってとったリングサポートの断面図である。
【図１０】図８に示すリングサポートを示す右側面図である。
【図１１】図８に示すリングサポートを示す背面図である。
【図１２】本開示の第２実施例による釣り糸ガイドを示す斜視図である。
【図１３】本開示の第３実施例による釣り糸ガイドを示す斜視図である。
【図１４】図１３に示す釣り糸ガイドの右側面図である。
【図１５】図１３に示す釣り糸ガイドの背面図である。
【図１６】図１３に示す釣り糸ガイドの正面図である。
【図１７】図１３に示すリングサポートの斜視図である。
【図１８】図１３の１８−１８線に沿ってとった釣り糸ガイドの断面図である。
【図１９】第３実施例による釣り糸ガイドが取り付けられた釣り竿を示す斜視図である。
【図２０】本開示の第４実施例による釣り糸ガイドを示す斜視図である。
【図２１】図２０に示す釣り糸ガイドの右側面図である。
【図２２】図２０の２２−２２線に沿ってとった釣り糸ガイドの断面図である。
【図２３】図２０に示すリングサポートの斜視図である。
【図２４】図２０に示すガイドリングとリングサポートを示す縦断面図である。
【図２５Ａ】曲げテストを行った試験片を示す図である。
【図２５Ｂ】曲げテストを行った試験片を示す図である。
【図２５Ｃ】曲げテストを行った試験片を示す図である。
【図２５Ｄ】曲げテストを行った試験片を示す図である。
【図２５Ｅ】曲げテストを行った試験片を示す図である。
【図２５Ｆ】曲げテストを行った試験片を示す図である。
【図２６】強度試験の結果を示すグラフである。
【図２７Ａ】一実施例による釣り糸ガイドに釣り糸の糸絡みが発生する例を示す図である。
【図２７Ｂ】一実施例による釣り糸ガイドに釣り糸の糸絡みが発生する例を示す図である。
【図２７Ｃ】一実施例による釣り糸ガイドに釣り糸の糸絡みが発生する例を示す図である。
【図２７Ｄ】一実施例による釣り糸ガイドに釣り糸の糸絡みが発生する例を示す図である。
【図２７Ｅ】一実施例による釣り糸ガイドに釣り糸の糸絡みが発生する例を示す図である。
【図２７Ｆ】一実施例による釣り糸ガイドに釣り糸の糸絡みが発生する例を示す図である。
【図２７Ｇ】一実施例による釣り糸ガイドで釣り糸の糸絡みが解除される例を示す図である。
【図２７Ｈ】糸絡みが解除できない比較例によるリングサポートを示す図である。
【図２８】本開示の第５実施例による釣り糸ガイドのリングサポートを示す図である。
【図２９】図２８の２９−２９線に沿ってとった断面図である。
【図３０Ａ】図２８に示すリングサポート及び釣り糸ガイドを製造する一例を示す図である。
【図３０Ｂ】図２８に示すリングサポート及び釣り糸ガイドを製造する一例を示す図である。
【図３０Ｃ】図２８に示すリングサポート及び釣り糸ガイドを製造する一例を示す図である。
【図３０Ｄ】図２８に示すリングサポート及び釣り糸ガイドを製造する一例を示す図である。
【図３０Ｅ】図２８に示すリングサポート及び釣り糸ガイドを製造する一例を示す図である。
【図３０Ｆ】図２８に示すリングサポート及び釣り糸ガイドを製造する一例を示す図である。
【図３０Ｇ】図２８に示すリングサポート及び釣り糸ガイドを製造する一例を示す図である。
【図３１】本開示の第６実施例による釣り糸ガイドを示す斜視図である。
【図３２】本開示の第７実施例による釣り糸ガイドを示す斜視図である。
【図３３】図３２に示す釣り糸ガイドの正面図である。
【図３４】第７実施例による釣り糸ガイドの変形例を示す正面図である。
【図３５Ａ】図３２に示す釣り糸ガイドでの糸絡みの発生の例を示す図である。
【図３５Ｂ】図３２に示す釣り糸ガイドでの糸絡みの発生の例を示す図である。
【図３５Ｃ】図３２に示す釣り糸ガイドでの糸絡みの発生の例を示す図である。
【図３５Ｄ】図３２に示す釣り糸ガイドでの糸絡みの発生の例を示す図である。
【図３５Ｅ】図３２に示す釣り糸ガイドでの糸絡みの発生の例を示す図である。
【図３５Ｆ】図３２に示す釣り糸ガイドでの糸絡みの解除の例を示す図である。
【図３５Ｇ】図３２に示す釣り糸ガイドでの糸絡みの解除の例を示す図である。
【図３５Ｈ】図３２に示す釣り糸ガイドでの糸絡みの解除の例を示す図である。
【図３５Ｉ】図３２に示す釣り糸ガイドでの糸絡みの解除の例を示す図である。
【図３５Ｊ】図３２に示す釣り糸ガイドでの糸絡みの解除の例を示す図である。
【図３５Ｋ】糸絡みが解除され得ない比較例による釣り糸ガイドを示す図である。
【図３６Ａ】リングサポートの変形例を示す斜視図である。
【図３６Ｂ】リングサポートの変形例を示す斜視図である。
【図３６Ｃ】リングサポートの変形例を示す斜視図である。
【発明を実施するための形態】
【００３１】
本開示の実施例は、本開示の技術的思想を説明する目的で例示されたものである。本開示による権利範囲が、以下に提示される実施例やこれらの実施例に関する具体的説明で限定されるものではない。
【００３２】
本開示に用いられる全ての技術的用語及び科学的用語は、異なって定義されない限り、本開示が属する技術分野で通常の知識を有する者に一般に理解される意味を有する。本開示に用いられる全ての用語は、本開示をさらに明確に説明する目的で選択されたものであって、本開示による権利範囲を制限するために選択されたものではない。
【００３３】
本開示で用いられる「含む」、「備える」、「有する」などのような表現は、当該表現が含まれる語句または文章で異なって言及されない限り、他の実施例を含む可能性を内包する開放型用語（ｏｐｅｎ−ｅｎｄｅｄ  ｔｅｒｍｓ）と理解されるべきである。
【００３４】
本開示で記述された単数型の表現は、異なって言及しない限り、複数型の意味を含み得、これは請求の範囲に記載された単数型の表現にも同様に適用される。
【００３５】
本開示で用いられる「第１」、「第２」などの表現は、複数の構成要素を相互に区分するために用いられ、当該構成要素の順序または重要度を限定するものではない。
【００３６】
本開示で、ある構成要素が他の構成要素に「連結されて」いたり、「接続されて」いると言及された場合、前記ある構成要素が前記他の構成要素に直接的に連結され得たり、接続され得るものとして、または新たな他の構成要素を介して連結され得たり、接続され得るものとして理解されるべきである。
【００３７】
本開示で用いられた「前方」、「前」などの方向指示語は、釣り竿のチップ（ｔｉｐ）に向かう方向を意味し、「後方」、「後」などの方向指示語は、釣り竿のバット（ｂｕｔｔ）に向かう方向を意味する。また、本開示で用いられた「上方」、「上」などの方向指示語は、ガイドリングが取付部に対して位置する方向を基準とし、「下方」、「下」などの方向指示語は、上方の反対方向を意味する。
【００３８】
以下、添付の図面を参照し、実施例を説明する。添付の図面で、同一または対応する構成要素には同一の参照符号が付与されている。また、以下の実施例の説明において、同一または対応する構成要素を重複して記述することが省略され得る。しかし、構成要素に関する記述が省略されても、そのような構成要素がある実施例に含まれないものと意図されるものではない。
【００３９】
図１は、本開示の一実施例による釣り糸ガイドを備える釣り竿の一例を示す。図１で、矢印（ＴＤ）は、釣り竿のチップ（ｔｉｐ）１０１に向かう前方方向を指し、矢印（ＢＤ）は、釣り竿のバット（ｂｕｔｔ）１０２に向かう後方方向を指す。図１に示す釣り竿１００は、当該分野で振出式（ｔｅｌｅｓｃｏｐｉｃ）釣り竿として参照され得る。図１に示す釣り竿１００は、水辺、浜、船上、磯等での釣りのために用いられるものの、釣り竿１００の使用場所が前述の場所に限定されるものではない。
【００４０】
図１を参照すると、釣り竿１００は、長い円筒状の竿体１１０を含む。竿体１１０は、釣り竿１００に作用する種々の外力に抵抗して、釣り竿１００の形状を維持する構造物として機能する。竿体１１０は、複数の管状竿１１１，１１２，１１３，１１４，１１５を含む。１つの管状竿が、その次に位置し、それより大きい外径を有する管状竿の内部に嵌められるテレスコピック（ｔｅｌｅｓｃｏｐｉｃ）方式で複数の管状竿が結合して、竿体１１０を構成する。図１は、拡張された釣り竿１００の竿体１１０を示す。竿体１１０の管状竿のうち、釣り竿１００の後端に位置する管状竿１１１は、ユーザーが握り得る元竿として機能する。管状竿１１１にはリールシート１２０が取り付けられ、リールシート１２０には釣り糸（図示せず）を放出したり巻くためのリール（図示せず）が除去可能に取り付けられる。
【００４１】
釣り竿１００は、竿体１１０に複数の釣り糸ガイドを備える。釣り糸ガイドは、仕掛けをキャストする際にリールから放出されたり、魚を釣り上げる際にリールに巻かれる釣り糸を案内する。前記複数の釣り糸ガイドとして、開示された種々の実施例のいずれか１つによる釣り糸ガイドが用いられる。いずれか１つの実施例による１つ以上の釣り糸ガイドが、竿体１１０の管状竿１１１，１１２，１１３，１１４，１１５の１つに取り付けられることができる。
【００４２】
図１に示すように、竿体１１０の管状竿１１３が釣り糸ガイド１０００の環状の取付部を貫通して、釣り糸ガイド１０００が竿体１１０に取り付けられる。釣り糸ガイド１０００が竿体１１０に取り付けられる前に、釣り糸ガイド１０００はその取付部で、竿体１１０に沿って前方方向（ＴＤ）または後方方向（ＢＤ）にスライド可能であり、竿体１１０に対して回転可能である。竿体１１０の管状竿１１３は、前方方向（ＴＤ）に外径が小さくなるテーパ状をとる。従って、釣り糸ガイド１０００を後方方向（ＢＤ）に移動させるにつれて、釣り糸ガイド１０００の取付部が管状竿１１３の外周面と締まり嵌めで結合されることにより、釣り糸ガイド１０００が竿体１１０に取り付けられ得る。実施例による釣り糸ガイドは、当該分野において「遊動ガイド」または「スライディングガイド」として参照され得る。
【００４３】
本開示の第１実施例による釣り糸ガイドの説明のために、図２〜図１１に示す例が参照される。図２は、第１実施例による釣り糸ガイドを示す斜視図である。図３は、図２に示す釣り糸ガイドの分解斜視図である。図４は、図２に示す釣り糸ガイドの平面図である。図５は、図２に示す取付部を示す平面図である。図６は、図２に示す釣り糸ガイドの右側面図である。図７は、図２の７−７線に沿ってとった釣り糸ガイドの断面図である。図８は、図３に示すリングサポートを示す斜視図である。図９は、図８の９−９線に沿ってとったリングサポートの断面図である。図１０及び図１１はそれぞれ、図８に示すリングサポートの右側面図及び背面図である。
【００４４】
図２を参照すると、釣り糸ガイド１０００は、釣り竿の竿体１１０（詳細には、竿体１１０を構成する管状竿の１つ）に取り付けられる取付部１１００と、釣り糸１３０が通過するガイドリング１２００と、ガイドリング１２００を保持及び支持して取付部１１００と部分的に結合するリングサポート１３００を含む。
【００４５】
一実施例において、取付部１１００は、樹脂材料からなることができる。詳細には、取付部１１００は、カーボン繊維強化樹脂材料を用いる射出成形により形成され得る。さらに詳細には、取付部１１００は、カーボン長繊維強化樹脂材料を射出成形して形成され得る。
【００４６】
カーボン長繊維強化樹脂材料は、カーボン短繊維強化樹脂材料に比べて３〜５倍の高い衝撃強度を有する。カーボン長繊維強化樹脂材料は、高い繊維配合量で高剛性を有し、高温で優れたクリープ特性を有する。カーボン長繊維強化樹脂材料は、高温で高い弾性保持率を有し、低温で優れた衝撃保持率を有する。カーボン長繊維強化樹脂材料は、撓み変形量や引っ張り変形量が小さく、線膨張係数が小さくて寸法安定性が高く、優れた耐摩耗性を有する。カーボン長繊維は、略７ｍｍの長さと円筒状を有することができる。カーボン長繊維強化樹脂材料におけるカーボン含量は略３０％になってもよい。カーボン長繊維強化樹脂材料における樹脂は、ナイロン樹脂であってもよい。
【００４７】
図２及び図３に示すように、取付部１１００は環状の形状を有し、竿体１１０の管状竿のうち管状竿１１３が取付部１１００を貫通することができる。取付部１１００は、管状竿１１３が貫通することができる環状体１１１０を含む。環状体１１１０には、管状竿１１３の外周面が嵌合される円筒状のボア１１１３が釣り竿の中心軸（ＣＡ１）に沿って貫通している。ボア１１１３の直径は、前方方向（ＴＤ）または後方方向（ＢＤ）に均一であってもよい。管状竿１１３がボア１１１３を貫通した状態で、取付部１１００は管状竿１１３に沿ってスライド可能であり、管状竿１１３に対して回転することができる。管状竿１１３は、前方方向（ＴＤ）に細くなるテーパ状を有する。従って、環状体１１１０を後方方向（ＢＤ）に移動させる途中、管状竿１１３の外径とボア１１１３の直径が略同一となる位置で、環状体１１１０は管状竿１１３の外周面と嵌合され得る。この時、環状体１１１０を後方方向（ＢＤ）にさらに移動させると、環状体１１１０が若干変形されながら、取付部１１００は管状竿１１３に堅固に嵌合されて固定され得る。
【００４８】
一実施例において、図３及び図４に示すように、環状体１１１０は、前方方向（ＴＤ）に位置して外径が相対的に大きい大外径部１１１１と、後方方向（ＢＤ）に位置して大外径部１１１１より小さい外径を有し大外径部１１１１と繋がっている小外径部１１１２とを有する。大外径部１１１１での環状体１１１０の半径方向厚さは、小外径部１１１２での環状体１１１０の半径方向厚さより大きい。図４に示すように、大外径部１１１１の前方方向（ＴＤ）の表面が、取付部１１００の環状の前端面１１１４を形成し、小外径部１１１２の後方方向（ＢＤ）の表面が取付部１１００の環状の後端面１１１５を形成する。
【００４９】
一実施例において、図３に示すように、環状体１１１０は、大外径部１１１１の一部の周りにわたって延長し、大外径部１１１１から外側半径方向に突出した結合部１１１６を有する。結合部１１１６には、その外面から環状体１１１０の中心に向かって空けられた結合スリット１１１７が形成されている。リングサポート１３００の下側部分と結合部１１１６が結合して、リングサポート１３００が取付部１１００と部分的に結合する。結合スリット１１１７にリングサポート１３００の下側部分が挿入または嵌合されて、リングサポート１３００が取付部１１００と部分的に結合され得る。図５に示すように、結合スリット１１１７は、リングサポート１３００の下端縁の形状に対応する形状に形成された底面１１１８を有する。結合スリット１１１７は、リングサポート１３００の下側部分の横断面の形状（図９参照）に対応するＶ字状の横断面の形状を有する。また、結合スリット１１１７は、リングサポート１３００の曲げ角と同一またはほぼ同一の角度でその中央で折り曲げられている。結合スリット１１１７の軸方向（ＣＡ１）における長さは、リングサポート１３００の下側部分の厚さと同一またはほぼ同一である。結合スリット１１１７は、図７に示す傾斜角（ＴＡ）で釣り竿のチップに向かって（前方方向（ＴＤ）に）傾いている。
【００５０】
リングサポート１３００は、結合スリット１１１７の底面１１１８にリングサポート１３００の下端縁が接触するまでリングサポート１３００を結合スリット１１１７に挿入して嵌め付けることで、取付部１１００に固定され得る。リングサポート１３００と結合スリット１１１７は、すきまばめまたは中間ばめで結合され得、接着剤を介して結合され得る。または、リングサポート１３００の下側一部が結合部１１１６内に埋め込まれるようにリングサポート１３００をインサートとして用いる射出成形により、取付部１１００とリングサポート１３００が一体に形成され得る。
【００５１】
図２及び図３に示すように、ガイドリング１２００は、略円形のリング状を有する。釣り糸１３０は、ガイドリング１２００の内周面と接触することができる。ガイドリング１２００は、リングサポート１３００に嵌合及び接着剤塗布により結合され得る。ガイドリング１２００は、セラミック材料からなることができる。
【００５２】
図２及び図３に示すように、リングサポート１３００はガイドリング１２００を保持し、取付部１１００に対してガイドリング１２００を支持する。一実施例において、リングサポート１３００は、ステンレススチール、ステンレス合金、チタン合金、純チタンなどの金属材料で製造された薄板からなる。リングサポート１３００は、その中に形成された曲げ部によりリングサポート１３００を構成する部分が互いに対して折り曲げられたり、湾曲している薄板として形成されている。また、リングサポート１３００は、前記金属材料の１つからなる薄い金属シート（当該分野で、このような金属シートはブランク（ｂｌａｎｋ）として参照され得る）をパンチング、ブランキング、ベンディングのようなプレス加工によりリングサポート１３００の前記薄板に加工することで形成され得る。
【００５３】
一実施例において、リングサポート１３００は、ガイドリング１２００を保持するリング保持部１３１０と、リング保持部１３１０を介してガイドリング１２００を支持するリング支持部１３２０を含む。リングサポート１３００を構成する薄板において、リング支持部１３２０はリング保持部１３１０と一体に形成される。図２及び図３に示すように、ガイドリング１２００を保持して支持するリングサポート１３００は、取付部１１００により管状竿１１３の外周面に対して位置する。リングサポート１３００と取付部１１００は、リングサポート１３００が部分的に取付部１１００内に埋め込まれる方式で、相互に結合する。リングサポート１３００と取付部１１００との間の結合は、リングサポート１３００の下側一部（リング支持部１３２０の下側一部）と取付部１１００との間の嵌合及び接着剤接合の方式、またはリングサポート１３００をインサートとして取付部１１００の射出成形により行われることができる。
【００５４】
図３に示すように、リング保持部１３１０は、ガイドリング１２００が結合するリング保持孔１３１１を有する。リング保持孔１３１１は、リング保持部１３１０にリング保持部１３１０の厚さ方向に貫通している。リング保持孔１３１１は、ガイドリング１２００の外周面に合わせられるように円形の内周面を有する。ガイドリング１２００は、その外周面でリング保持孔１３１１の内周面に嵌合され、点接触、面接触などによりリング保持孔１３１１の内周面と結合され得る。また、リング保持孔１３１１の内周面とガイドリング１２００の外周面との間には、これらを接着させるための接着剤が塗布されてもよい。リング保持部１３１０は、リング保持孔１３１１によりガイドリング１２００の全周に沿ってガイドリング１２００を保持するように略環状をとる。
【００５５】
図３に示すように、リング保持部１３１０の上側縁は、半円形状または略半円形状を有することができる。前方方向（ＴＤ）及び上方方向（ＵＤ）に垂直な釣り糸ガイドの幅方向（ＷＤ）を仮定すると、リング保持部１３１０の幅方向（ＷＤ）での側端縁は互いに平行であるか、またはほぼ平行であってもよい。またはリング保持部１３１０の幅方向（ＷＤ）での両側縁は、上方方向（ＵＤ）に互いに近くなることができる。リング保持部１３１０の下端縁は、下方方向（ＬＤ）に凸なＶ字状を取り、リング保持部１３１０はその下端縁でリング支持部１３２０と一体に連結される。従って、リングサポート１３００は、リング保持部１３１０とリング支持部１３２０との間に開口や空洞を備えない。リング保持部１３１０の下端縁の形状に対応し、リング支持部１３２０の上端縁は、下方方向（ＬＤ）に凸なＶ字状を取り、リング支持部１３２０はその上端縁でリング保持部１３１０と一体に連結される。
【００５６】
図２及び図３に示すように、リング支持部１３２０は、その下側一部で取付部１１００内に埋め込まれている。リング支持部１３２０の幅方向（ＷＤ）での側端縁は、上方方向（ＵＤ）に互いに近くなることができる。または、リング支持部１３２０の幅方向（ＷＤ）での側端縁は、互いに平行であってもよい。リング支持部１３２０の下端縁は、上方方向（ＵＤ）に凸な円弧状を有する。図４に示すように、リング支持部１３２０の幅方向（ＷＤ）での両側面は互いに平行であり、また釣り竿の中心軸（ＣＡ１）と平行である。即ち、リング支持部１３２０の各側面から側面に平行に延長する仮想の延長線（ＥＬ）が中心軸（ＣＡ１）と平行である。
【００５７】
一実施例において、リングサポート１３００は、リング支持部１３２０内に形成された第１曲げ部１３３１を有する。第１曲げ部１３３１は、幅方向（ＷＤ）でリング支持部１３２０の中央に、または略中央に位置する。リング支持部１３２０は、第１曲げ部１３３１を基準として、釣り竿のチップに向かう方向（例えば、前方方向（ＴＤ））または釣り竿のバットに向かう方向（例えば、後方方向（ＢＤ））に曲げられ得る。
【００５８】
この実施例において、リング支持部１３２０は、第１曲げ部１３３１を基準として、釣り竿のチップに向かう方向（例えば、前方方向（ＴＤ））に曲げられている。これにより、図３に示すように、リング支持部１３２０は、対称形状に形成された右半部１３２１と左半部１３２２を有する。右半部１３２１と左半部１３２２は、第１曲げ部１３３１を介して一体になっており、前方方向（ＴＤ）に互いに向かうように傾いている。
【００５９】
図３及び図４に示すように、第１曲げ部１３３１は、管状竿１１３に向かう、またはボア１１１３の中心を通過する下方方向（ＬＤ）に延長し、第１曲げ部１３３１の上端は結合スリット１１１７の外側に位置する。また、幅方向（ＷＤ）でリング支持部１３２０の下端縁の両端間の間隔は、取付部１１００のボア１１１３の直径より小さく、リング支持部１３２０の下端縁の両端は取付部１１００の結合部１１１６内に位置する。
【００６０】
一実施例において、図３に示すように、リングサポート１３００は、リング保持部１３１０とリング支持部１３２０との間の境界となる第２曲げ部１３３２を有する。第２曲げ部１３３２は、概ねその中央で第１曲げ部１３３１に連結される。リング保持部１３１０は、第２曲げ部１３３２を基準として、リング支持部１３２０に対して釣り竿のチップに向かう方向（例えば、前方方向（ＴＤ））または釣り竿のバットに向かう方向（例えば、後方方向（ＢＤ））に曲げられ得る。この実施例において、リング保持部１３１０は、第２曲げ部１３３２を基準として、釣り竿のチップに向かう方向（例えば、前方方向（ＴＤ））に曲げられている。
【００６１】
図６及び図７に示すように、一実施例において、リングサポート１３００は、釣り竿の中心軸（ＣＡ１）または取付部１１００の中心軸（ＣＡ２）に垂直な垂直線（ＨＬ）に対して傾斜角（ＴＡ）で前方方向（ＴＤ）に傾いている。
【００６２】
一実施例による釣り糸ガイドは、向上したリングサポート１３００の曲げ強度、向上したリングサポート１３００の回転防止強度、向上したリングサポート１３００の取付強度を有する。前述の第１曲げ部と第２曲げ部によるリングサポート１３００の曲げ形状が、このような向上した強度に関連し得る。図８〜図１１を参照し、一実施例による釣り糸ガイドの前述の特徴について説明する。
【００６３】
図８〜図１１で、第１曲げ部と第２曲げ部は単に簡略な線の形状に示している。釣り糸ガイドの実施例において、第１曲げ部１３３１と第２曲げ部１３３２は、リングサポート１３００をなす金属製の薄板内で所定の曲率で湾曲した部分を含み得る。リングサポート１３００に曲げ形状を用いた強度補強構造を提供するために、第１曲げ部１３３１と第２曲げ部１３３２は、多様な幅を有することができる。一実施例において、リングサポート１３００の前面１３２３及び後面１３２４上で、第１曲げ部１３３１は、細い線の形状、狭い面の形状、狭い曲面の形状、比較的広い曲面の形状のうちいずれか１つの形状で現れ得る。また、リングサポート１３００の横断面をとる際に、第１曲げ部１３３１は、リングサポート１３００の前面１３２３及び後面１３２４上で後方方向（ＢＤ）に凸な円弧状で現れ得る。第２曲げ部１３３２は、リングサポート１３００の前面１３２３及び後面１３２４上で、細い線の形状または狭い面の形状で現れ得る。リングサポート１３００の縦断面をとる際に、第２曲げ部１３３２はリングサポート１３００の前面１３２３及び後面１３２４上で後方方向（ＢＤ）に凸な円弧状で現れ得る。
【００６４】
図８に示すように、リングサポート１３００は、リング支持部１３２０内に形成されてリング支持部１３２０を右半部１３２１と左半部１３２２に区分させる第１曲げ部１３３１を有する。第１曲げ部１３３１は、リングサポート１３００内で釣り竿の中心軸（ＣＡ１）に向かう下方方向（ＬＤ）に（または、釣り糸ガイドが取り付けられる管状竿に向かう下方方向に）リング支持部１３２０の下端まで延長する。また、第１曲げ部１３３１は、釣り竿の中心軸（ＣＡ１）から概ね上方方向（ＵＤ）に延長して、第２曲げ部１３３２の中央と合う。一実施例において、図９に示すように、リング支持部１３２０は、第１曲げ部１３３１を基準として、釣り竿のチップに向かう方向（前方方向（ＴＤ））に第１曲げ角（ＢＡ１）で曲げられている。
【００６５】
図８に示すように、リングサポート１３００は、リング保持部１３１０とリング支持部１３２０との間の境界となり、リング保持部１３１０の曲げの基準になる第２曲げ部１３３２を有する。第２曲げ部１３３２は、リングサポート１３００の一側端から他側端まで延長し、リングサポート１３００のリング支持部１３２０の下端に向かって凸である。リング保持部１３１０とリング支持部１３２０は、共通の縁を有する。これにより、リングサポート１３００において、リング保持部１３１０の下端縁とリング支持部１３２０の上端縁が、第２曲げ部１３３２を形成する。一実施例において、第２曲げ部１３３２は、下方方向（ＬＤ）に凸なＶ字状を有し、第１曲げ部１３３１の上端に連結される。また、リングサポート１３００の側方視において、第２曲げ部１３３２は、前方方向（ＴＤ）と上方方向（ＵＤ）との間の斜めの方向に傾いている。他の実施例において、第２曲げ部１３３２は、下方方向（ＬＤ）に凸な円弧状を有することができる。
【００６６】
図８に示すように、第２曲げ部１３３２は、第１曲げ部１３３１と第２曲げ部１３３２との間の連結点（図１１に示す第２曲げ部１３３２の中心点（Ｐ１））から第１曲げ部１３３１に対して鈍角で延長する一対の直線状曲げ部１３３３，１３３４を含む。図１０に示すように、リング保持部１３１０は、第２曲げ部１３３２を基準として、リング支持部１３２０に対して釣り竿のチップに向かう方向（例えば、前方方向（ＴＤ））に第２曲げ角（ＢＡ２）で曲げられている。
【００６７】
一実施例において、図８に示すように、互いに合う第１曲げ部１３３１と第２曲げ部１３３２は、Ｙ字状形状を形成し、リングサポート１３００にＹ字状曲げ部を形成する。従って、リングサポート１３００は、前述の金属シート（ブランク）を第１曲げ部１３３１と第２曲げ部１３３２に沿ってプレス加工して形成され得る。詳細には、金属シート（ブランク）を、第１及び第２曲げ部１３３１，１３３２を形成し、リング支持部１３２０を第１曲げ部１３３１を基準として第１曲げ角（ＢＡ１）で曲げ、リング保持部１３１０を第２曲げ部１３３２を基準として第２曲げ角（ＢＡ２）で曲げるベンディング加工により形成され得る。従って、リングサポート１３００は、リング保持部１３１０、リング支持部１３２０の右半部１３２１及びリング支持部１３２０の左半部１３２２が互いに向かって曲げられた金属製の薄板として形成される。また、このような金属製の薄板において、リング保持部１３１０、リング支持部１３２０の右半部１３２１及びリング支持部１３２０の左半部１３２２は、Ｙ字状曲げ部をなす第１及び第２曲げ部１３３１，１３３２を介して一体に形成され、これらが第１及び第２曲げ部１３３１，１３３２により互いに向かって曲げられている。
【００６８】
また、前述の金属シートのプレス加工は、金属シートをなす金属材料が加工硬化を引き起こすまで行われることができる。従って、図８に示すように、リングサポート１３００は、前記プレス加工により前記金属材料が加工硬化されて生成する加工硬化部１３４１，１３４２を含む。加工硬化部１３４１，１３４２の形状は、第１及び第２曲げ部１３３１，１３３２のＹ字状に対応する形状を有する。加工硬化部１３４１，１３４２は、第１曲げ部１３３１と第２曲げ部１３３２に沿ってリングサポート１３００の内部に形成される。加工硬化部１３４１，１３４２は、リングサポート１３００のリング保持部１３１０及びリング支持部１３２０より高い降伏点（ｙｉｅｌｄ  ｐｏｉｎｔ）を有するため、リングサポート１３００は、加工硬化部１３４１，１３４２が生成されている第１及び第２曲げ部１３３１，１３３２で塑性変形を引き起こし難い。従って、第１及び第２曲げ部１３３１，１３３２がなすＹ字状曲げ部により、リングサポート１３００は、リングサポート１３００に加えられる外力に対して強い抵抗を有し、リングサポート１３００の強度が補強され得る。
【００６９】
図９に示すように、リング支持部１３２０は、第１曲げ角（ＢＡ１）で第１曲げ部１３３１を基準として前方方向（ＴＤ）に曲げられている。第１曲げ角（ＢＡ１）は、１２０度〜１７０度の鈍角になってもよい。第１曲げ角（ＢＡ１）が鈍角である場合、リング支持部１３２０の横風と面する面積が減少することができ、強い横風の抗力により釣り竿が撓むことを減少させることができる。第１曲げ角（ＢＡ１）が１２０度以上である場合、横風が強い場合にリング支持部１３２０に対する横風の抗力による影響を効果的に減少させることができる。また、第１曲げ角（ＢＡ１）が１２０度以上である場合、リング支持部１３２０に対して曲げられているリング保持部１３１０の広さを単純な形状で十分に確保することができる。第１曲げ角（ＢＡ１）が１７０度を超える場合、リング支持部１３２０を第１曲げ部１３３１を基準としてベンディングさせる際に、第１曲げ部１３３１に圧縮による加工硬化が発生しないことがある。その場合、リングサポート１３００を釣り竿の管状竿を中心として回転させる外力がリングサポート１３００に作用すると、折り曲げられたリング支持部１３２０が外力のベクトル方向に一直線状に変形され易く、リングサポート１３００が取付部１１００から分離され得る。
【００７０】
図９に示すように、中心軸（ＣＡ１）に沿ってリング支持部１３２０の前端のリング支持部１３２０の側端縁とリング支持部１３２０の後端（後面１３２４上の第１曲げ部１３３１）との間の距離（ベンディングされたリング支持部の厚さ）（ＢＴ）は、０．５ｍｍ〜３ｍｍになり得る。樹脂材料の取付部は弾性変形しやすく、小さい応力によっても撓みや変形を引き起こすことがある。距離（ＢＴ）が０．５ｍｍ未満である場合、リングサポート１３００を釣り竿の中心軸（ＣＡ１）を中心として回転させる方向の外力がリングサポート１３００に加えられる際に（図４及び図８での矢印（Ｆ１）参照）、リング支持部１３２０によって押される結合スリット１１１７の表面が変形し、リングサポート１３００に必要な反力が作用せず、リング支持部１３２０が結合スリット１１１７を乗り越えて移動することがある。距離（ＢＴ）が３ｍｍを超える場合、リングサポート１３００が過度に大きくなり得、釣り糸ガイドの軽量化を達成できない。また、取付部１１００から突出したリング支持部１３２０の部分が横風の影響を強く受けることがあり、釣り竿の持ち重り感が著しく悪化することがある。
【００７１】
図１０に示すように、リング保持部１３１０は、リング支持部１３２０に対して第２曲げ部１３３２を基準として、第２曲げ角（ＢＡ２）で前方方向（ＴＤ）に曲げられている。リング保持部１３１０は、釣り竿１００のチップに向かって（前方方向（ＴＤ）に）リング支持部１３２０に対して第２曲げ角（ＢＡ２）で傾いている。第２曲げ角（ＢＡ２）は、リングサポート１３００の曲げ強度の向上と糸絡みの円滑な解除のために、１５度〜２０度であってもよい。
【００７２】
ユーザーによりまたは外部的な衝撃により、リングサポート１３００を管状竿１１３を中心として（釣り竿の中心軸（ＣＡ１）を中心として）回転させる外力（Ｆ１）（図４及び図８参照）がリングサポート１３００に繰り返し作用することがある。しかし、リングサポート１３００のＹ字状曲げ部により、リングサポート１３００は、管状竿１１３に横方向に作用する外力（Ｆ１）に抵抗する向上した回転防止強度を有する。
【００７３】
図９及び図１０を参照すると、リング支持部１３２０は、第１曲げ部１３３１を基準として、釣り竿のチップに向かう前方方向（ＴＤ）に第１曲げ角（ＢＡ１）で曲げられている。従って、リング支持部１３２０の右半部１３２１と左半部１３２２は、第１曲げ部１３３１を基準として、中心軸（ＣＡ１）に対して鋭角に斜めに位置して互いに向かっている。リング保持部１３１０は、リング支持部１３２０と一体に形成されており、平らである。リング保持部１３１０は、第２曲げ部１３３２を基準として釣り竿のチップに向かう前方方向（ＴＤ）に第２曲げ角（ＢＡ２）で曲げられている。即ち、リング保持部１３１０は、リング支持部１３２０から第２曲げ部１３３２を介して折り曲げられている。リング保持部１３１０の下端縁とリング支持部１３２０の上端縁は、Ｖ字状の第２曲げ部１３３２として形成される。第２曲げ部１３３２のＶ字状と関連し、第２曲げ部１３３２の直線状曲げ部１３３３、１３３４が第１曲げ部１３３１の上端からリングサポート１３００の上端に向かって傾斜している。即ち、リング支持部１３２０の右半部１３２１及び左半部１３２２のそれぞれの上端縁は、リングサポート１３００の幅方向（ＷＤ）での中心からリングサポート１３００の上端に向かって傾斜している。平らなリング保持部１３１０は、右半部１３２１及び左半部１３２２のそれぞれの上端縁に第２曲げ部１３３２を介して連結されている。このように、リングサポート１３００には、第１曲げ部１３３１と第２曲げ部１３３２が形成するＹ字状曲げ部が提供されている。また、リングサポート１３００には、Ｙ字状曲げ部に沿ってＹ字状の加工硬化部１３４１、１３４２が形成されている。
【００７４】
従って、リングサポート１３００に外力（Ｆ１）が作用しても、リングサポート１３００は、リング支持部１３２０の右半部１３２１及び左半部１３２２が開かれたり、狭まる方向に変形したり、撓んだり、捩れたりすることに対して強く抵抗する。また、リングサポート１３００は、前記Ｙ字状曲げ部により、外力（Ｆ１）に強く抵抗するため、リングサポート１３００は向上した回転防止強度を有する。従って、リング支持部１３２０が取付部１１００の結合スリット１１１７を拡張させたり、リング支持部１３２０が取付部１１００の結合スリット１１１７を乗り越えて取付部１１００に対して回転したり、リング支持部１３２０が取付部１１００の結合スリット１１１７から抜けてしまうことが防止される。
【００７５】
リングサポート１３００には、釣り竿のチップに向かう前方方向（ＴＤ）に、または釣り竿のバットに向かう後方方向（ＢＤ）に外力（Ｆ２）（図６及び図８参照）が作用することができる。例えば、釣りの最中の釣り糸により、または外部衝撃により外力（Ｆ２）がリングサポート１３００に作用することがある。しかし、リングサポート１３００は、外力（Ｆ２）に抵抗する向上した曲げ強度を有する。リングサポート１３００のＹ字状曲げ部により、リング保持部１３１０が外力（Ｆ２）の方向に変形したり撓むこと、またはリング支持部１３２０の右半部１３２１と左半部１３２２が外力（Ｆ２）の方向に開かれたり撓むことが防止される。このように、リングサポート１３００は、外力（Ｆ２）に抵抗する向上した曲げ強度を有する。
【００７６】
曲げ強度の向上と糸絡みの円滑な解消のために、特定の寸法範囲にリングサポート１３００の各部分が形成され得る。図１１を参照すると、第２曲げ部１３３２のＶ字状での夾角（ＩＡ１）（即ち、図８に示す直線状曲げ部１３３３，１３３４間の夾角）は、曲げ強度の向上と糸絡みの円滑な解除のために、１１０度〜１２０度であってもよい。リング支持部１３２０の両側端縁は互いに向かって傾くように、リング支持部１３２０はテーパ状をとってもよい。この場合、リング支持部１３２０の両側端縁がなす夾角（ＩＡ２）は、曲げ強度の向上と糸絡みの円滑な解除のために０度超３０度以下の角を有することができる。また、第２曲げ部１３３２の中心点（Ｐ１）は第２曲げ部１３３２の両端点（Ｐ２）より下に位置し、リング保持孔１３１１の最下端点（Ｐ３）は第２曲げ部１３３２の両端点（Ｐ２）より下に位置し、糸絡みの円滑な解除に寄与する。
【００７７】
第１曲げ角（ＢＡ１）、第２曲げ角（ＢＡ２）、夾角（ＩＡ１）及び夾角（ＩＡ２）が前述のそれぞれの範囲内での角度値を有するようにリングサポート１３００が形成される際に、リングサポート１３００での糸絡みが円滑に解除され得る。また、第２曲げ部１３３２の中心点（Ｐ１）、第２曲げ部１３３２の両端点（Ｐ２）及びリング保持孔１３１１の最下端点（Ｐ３）間の前述の位置関係により、リングサポート１３００での糸絡みが円滑に解除され得る。即ち、前述の範囲を逸脱する角度の値で、第１曲げ角（ＢＡ１）、第２曲げ角（ＢＡ２）、夾角（ＩＡ１）、夾角（ＩＡ２）が定められる場合、または前述の位置関係でリング保持孔１３１１と第２曲げ部１３３２が位置しない場合、糸絡みの円滑な解除が行われないことがある。一例として、一実施例のリングサポート１３００において、第１曲げ角（ＢＡ１）は１５７度と定められてもよく、第２曲げ角（ＢＡ２）は２０度と定められてもよく、夾角（ＩＡ１）は１２０度と定められてもよく、夾角（ＩＡ２）は２０度と定められてもよい。
【００７８】
図１２は、本開示の第２実施例による釣り糸ガイドを示す斜視図である。図１２に示す釣り糸ガイド２０００は、リング支持部の露出した部分にリング支持部の厚さ方向に貫通した開口が形成されたことを除いては、前述の実施例の釣り糸ガイド１０００と同一の構成を有する。
【００７９】
釣り糸ガイド２０００のリングサポート１３００は、リング支持部１３２０の右半部１３２１と左半部１３２２にそれぞれ形成された第１開口２３５１を有する。第１開口２３５１は、リング支持部１３２０を釣り竿の中心軸（ＣＡ１）の方向に（厚さ方向に）貫通して形成されている。第１開口２３５１により、釣り糸ガイド２０００はさらに軽量化され得る。
【００８０】
第１開口２３５１は、第１曲げ部１３３１に対して対称に形成され、略三角形の形状を有する。第１開口２３５１は、取付部１１００の結合部１１１６よりも外側でリング支持部１３２０に位置する。第１開口２３５１は、結合部１１１６の外側に位置するリング支持部１３２０の部分にのみ形成され、結合部１１１６の内側に位置するリング支持部１３２０の部分には形成されない。第１開口２３５１は、結合部１１１６の上側輪郭線に重ならないように形成されるため、取付部１１００とリングサポート１３００との間の結合強度を維持したままでリングサポート１３００の軽量化が達成される。従って、結合部１１１６とリング支持部１３２０との間に接着剤を塗布する場合に、接着剤の剥離起点と成り得る結合スリット１１１７の上側輪郭線で接着剤の剥離が生じ、取付部１１００とリングサポート１３００との間の結合強度が低下したり、接着剤が剥がれた部分への海水の侵入によりリングサポート１３００が腐食してしまうことなどが防止される。また、それぞれの第１開口２３５１は、リング支持部１３２０の第１曲げ部１３３１と重ならないように位置するため、リング支持部１３２０の強度が低下しない。また、第１開口２３５１は、第２曲げ部１３３２と重ならないように位置するため、第２曲げ部１３３２と第１曲げ部１３３１が形成するリングサポート１３００のＹ字状曲げ部が切断されることはなく、リングサポート１３００の強度が低下しない。
【００８１】
本開示の第３実施例による釣り糸ガイドの説明のために、図１３〜図１９に示す例が参照される。図１３は、第３実施例による釣り糸ガイドを示す斜視図である。図１４〜図１６はそれぞれ、図１３に示す釣り糸ガイドの右側面図、背面図及び正面図である。図１７は、図１３に示すリングサポートの斜視図である。図１８は、図１３の１８−１８線に沿ってとった断面図である。図１９は、この実施例による釣り糸ガイドが取り付けられた釣り竿を示す斜視図である。図１３〜図１９に示す釣り糸ガイド３０００は、前述の実施例の釣り糸ガイド１０００，２０００と類似の構成を有する。以下では、釣り糸ガイド３０００と前述の実施例の釣り糸ガイド１０００，２０００との間の異なる構成について説明する。
【００８２】
釣り糸が通るガイドリング３２００は、上下に長い長円形状（ｏｂｌｏｎｇ  ｓｈａｐｅ）を有する。これにより、ガイドリング３２００が嵌合されるリング保持孔３３１１は、ガイドリング３２００の形状に対応するように長円形状を有する。リング保持部１３１０が釣り竿のチップに向かって前方方向（ＴＤ）に傾いているため、釣り竿のバットから釣り竿のチップに向かって釣り竿を見ると、ガイドリング３２００の内周面は略円形をとる。従って、ガイドリング３２００に釣り糸をスムーズに通すことができる十分な空間が確保され得る。
【００８３】
この実施例による釣り糸ガイド３０００は、リングサポート１３００と取付部１１００がインサート射出成形により一体に形成され得る。図１３に示すように、釣り糸ガイド３０００の取付部１１００は、その外周面に外側半径方向に突出する３つのリブ３１２０、３１３０を含む。前記３つのリブは、上方リブ３１２０と、一対の側方リブ３１３０を含む。
【００８４】
上方リブ３１２０は、リング支持部１３２０に隣接して環状体１１１０の上端に位置する。上方リブ３１２０は、結合部１１１６と小外径部１１１２にわたって形成されている。上方リブ３１２０の上面３１２２は、中心軸（ＣＡ１）に向かって傾いている。上方リブ３１２０は、釣り竿のバットに向かう後方方向（ＢＤ）にテーパされる形状を有する。これにより、上方リブ３１２０は、後方方向（ＢＤ）での後端面３１２１から釣り竿のチップに向かう前方方向（ＴＤ）に拡大される幅を有する。
【００８５】
一対の側方リブ３１３０は、環状体１１１０の側端で環状体１１１０の中心より下に位置する。一対の側方リブ３１３０は、大外径部１１１１と小外径部１１１２にわたって形成されている。側方リブ３１３０の幅は、上方リブ３１２０の幅より小さい。上方リブ３１２０と側方リブ３１３０との間の中心軸（ＣＡ１）に対する角度は、略１２０度となってもよいが、これに限定されるものではない。
【００８６】
図１３及び図１４に示すように、上方リブ３１２０と側方リブ３１３０は、釣り竿のバットに向かう後方方向（ＢＤ）に環状体１１１０の後端面１１１５まで延長する。これにより、後方方向（ＢＤ）での上方リブ３１２０の後端面３１２１と後方方向（ＢＤ）での側方リブ３１３０の後端面３１３１は、環状体１１１０の後端面１１１５と同一表面を形成する。即ち、この実施例において、後方方向（ＢＤ）での環状体１１１０の後端面１１１５は、上方リブ３１２０の後端面３１２１と側方リブ３１３０の後端面３１３１を含み、上方リブ３１２０の後端面３１２１と側方リブ３１３０の後端面３１３１が環状体１１１０の後端面１１１５の一部を形成する。
【００８７】
上方リブ３１２０と側方リブ３１３０により、環状体１１１０の周方向での強度が向上する。上方リブ３１２０の後端面３１２１と側方リブ３１３０の後端面３１３１が、環状体１１１０の後端面１１１５と同一表面に位置するため、環状体１１１０を竿体１１０の管状竿に押し込む際に発生し得る、環状体１１１０の後端面１１１５から発生する割れと後端面１１１５での白化を防止することができる。即ち、上方リブ３１２０と側方リブ３１３０が環状体１１１０の押込強度を増加させることができる。
【００８８】
上方リブ３１２０の存在により、取付部１１００を成形する際に、取付部１１００を構成する樹脂材料が取付部１１００の成形のための成形金型内でスムーズに流動することができ、樹脂材料が合流する部分でのウェルドライン強度が補強され得る。例えば、取付部１１００の成形のための成形金型の成形表面には、上方リブ３１２０と側方リブ３１３０に対応する形状を有し、上方リブ３１２０と側方リブ３１３０の位置に対応するように位置するリブ形成部が形成され得る。前記インサート射出成形と関連し、溶融したカーボン長繊維強化樹脂材料が成形金型内に入るゲートは、環状体１１１０の大外径部１１１１の最下端に位置することができる。従って、前記ゲートに流入した樹脂は２つの流れに分岐し、２つの樹脂の流れは環状体１１１０の上端に流動して、環状体１１１０の上端で合流することができる。環状体１１１０が厚さの異なる大外径部１１１１と小外径部１１１２を有するため、大外径部１１１１と小外径部１１１２を通る樹脂の流速に差が生じる。また、上方リブ３１２０に到達する２つの樹脂の流れに時差が生じ、上方リブ３１２０の付近で、２つの樹脂の流れは方向を変えながら合流ができる。また、上方リブ３１２０の前述の形状により、２つの樹脂の流れが乱れ、樹脂内のカーボン長繊維が互いに絡み合うことができる。これにより、環状体１１１０の上端でのクラックなどの成形欠陥が防止され得、環状体１１１０は、樹脂のウェルドラインで高い強度を有することができる。
【００８９】
取付部１１００は、下端から上方へ行くほど厚くなる半径方向厚さを有することができる。即ち、環状体１１１０の半径方向厚さは最下端で最も小さく、環状体１１１０の周方向に沿って上端へ行くほど次第に増加することができる。このような取付部１１００の厚さの構成により、カーボン長繊維強化樹脂材料は、金型内部の成形空間を円滑に流動することができ、それにより、溶融樹脂の体積が不十分であるため生じる、所謂、ショートショット（Ｓｈｏｒｔ  Ｓｈｏｔ）のような成形欠陥のない取付部が成形され得る。
【００９０】
取付部１１００は、大外径部１１１１内に円弧状に凹んだ複数の凹部３１１９を有する。凹部３１１９は、ユーザーが取付部１１００を竿体１１０の管状竿の外周面に嵌め付ける際にユーザーの指に引っ掛かりを提供する。
【００９１】
一実施例において、図１７に示すように、釣り糸ガイド３０００のリングサポート１３００は、リング支持部１３２０の右半部１３２１と左半部１３２２にそれぞれ形成された第２開口３３５２を有する。第２開口３３５２は、第１開口２３５１の下に形成されている。第２開口３３５２は、リング支持部１３２０を中心軸（ＣＡ１）に沿って厚さ方向に貫通して形成されており、第１曲げ部１３３１に対して対称に形成されている。また、第２開口３３５２は、取付部１１００の結合部１１１６の内側でリング支持部１３２０に位置する。前記インサート射出成形の際に、取付部１１００を構成する樹脂材料（例えば、カーボン長繊維強化樹脂）が第２開口３３５２に流入して第２開口３３５２内で硬化する。即ち、第２開口３３５２は、硬化した取付部１１００の樹脂材料で満たされる。これにより、取付部１１００とリングサポート１３００との間の結合構造が補強され、釣り糸ガイド３０００の強度が向上する。
【００９２】
一実施例において、図１３に示すように、取付部１１００は、上方リブ３１２０の上面３１２２に形成された第１アライメント標識３１２３を有する。第１アライメント標識３１２３は、幅方向（ＷＤ）で上方リブ３１２０の上面３１２２の中央に位置する。また、第１アライメント標識３１２３は、リング支持部１３２０の中央に位置した第１曲げ部１３３１に対応するように位置する。第１アライメント標識３１２３は、上面３１２２に形成された細い溝あるいは上面３１２２に描かれた線として形成され得る。図１９に示すように、竿体１１０の管状竿は、取付部１１００の第１アライメント標識３１２３と整列され得る第２アライメント標識１１６を有する。第２アライメント標識１１６は、管状竿の外周面に細い溝あるいは線として形成され得る。竿体１１０の第２アライメント標識１１６に釣り糸ガイド３０００の第１アライメント標識３１２３を一致させることにより、竿体１１０に対する釣り糸ガイド３０００のアライメントが簡単に行われることができる。
【００９３】
本開示の第４実施例による釣り糸ガイドの説明のために、図２０〜図２６に示す例が参照される。図２０は、第４実施例による釣り糸ガイドを示す斜視図である。図２１は、図２０に示す釣り糸ガイドの右側面図である。図２２は、図２０の２２−２２線に沿ってとった断面図である。図２３は、図２０に示すリングサポートの斜視図である。図２４は、図２０に示すガイドリングとリングサポートを示す縦断面図である。図２０〜図２４に示す釣り糸ガイド４０００は、前述の実施例の釣り糸ガイド３０００と類似の構成を有し、以下では、釣り糸ガイド３０００と比較して異なる構成についてのみ説明する。
【００９４】
図２０〜図２３に示すように、釣り糸ガイド４０００は、さらに強い強度を有するリングサポート１３００を備える。リングサポート１３００は、強度向上のための構造物であって、リング保持部１３１０内に補強フランジ４３１２を備える。補強フランジ４３１２は、ガイドリング３２００の外形に対応するように長円形状の形状を有する。補強フランジ４３１２は、リング保持部１３１０から前方方向（ＴＤ）及び下方方向（ＬＤ）間の斜めの方向に突出する。補強フランジ４３１２は、リング保持部１３１０内に位置し、第２曲げ部１３３２から離隔されている。補強フランジ４３１２は、その最下端点が第２曲げ部１３３２の両端点より下に位置するように、リング保持部１３１０内に位置する。
【００９５】
図２３及び図２４に示すように、補強フランジ４３１２は、その内周面でリング保持孔３３１１を限定する。補強フランジ４３１２の内周面は、嵌合面４３１３と案内面４３１４を含む。嵌合面４３１３は環状に延長し、ガイドリング３２００が嵌合面４３１３に嵌合される。嵌合面４３１３は、平面に形成される。補強フランジ４３１２は、リング保持部１３１０から垂直に突出する。補強フランジ４３１２は、嵌合面４３１３の突出長さ（ＳＴ）がリング保持部１３１０の厚さ（ＲＴ）より小さくなるように、リング保持部１３１０から突出することができる。案内面４３１４は、嵌合面４３１３に繋がっている。案内面４３１４は、嵌合面４３１３に沿って環状に延長する。案内面４３１４は、嵌合面４３１３に対して湾曲しており、曲面に形成される。即ち、案内面４３１４の直径は、嵌合面４３１３に向かって縮小される。図２４に示すように、ガイドリング３２００が補強フランジ４３１２に嵌合される際に、ガイドリング３２００は、案内面４３１４から嵌合面４３１３に嵌合され得る。即ち、ガイドリング３２００の外周面が案内面４３１４に沿って嵌合面４３１３に嵌合され得る。これにより、ガイドリング３２００とリング保持部１３１０との間の嵌合の際にガイドリング３２００の外周面での割れが防止され得る。また、ガイドリング３２００と補強フランジ４３１２の嵌合面４３１３が結合する際に、接着剤が留まることのできる空間が、ガイドリング３２００の外周面と補強フランジ４３１２の案内面４３１４との間に形成され得るため、ガイドリング３２００と補強フランジ４３１２との間で強い接着強度が達成される。
【００９６】
リング保持部１３１０に形成された補強フランジ４３１２により、リングサポート１３００の曲げ強度が向上する。補強フランジ４３１２は、リングサポート１３００を成形するための金属シート内にリング保持孔３３１１の形状に対応する貫通孔を形成し、貫通孔の全周をバーリング（ｂｕｒｒｉｎｇ）することにより、形成され得る。
【００９７】
この実施例の釣り糸ガイド４０００は、リングサポート１３００に前述のＹ字状曲げ部を備えているだけでなく、リング保持部１３１０内に補強フランジ４３１２を備えて、全体的に向上した曲げ強度を有するリングサポート１３００を備える。前記Ｙ字状曲げ部による曲げ強度の向上、または補強フランジ４３１２による曲げ強度の向上を確認するために、それぞれ異なる形状を有する６つのリングサポートを有する釣り糸ガイドに対して曲げテストが行われた。前記曲げテストは、釣り糸ガイドの取付部の後端面が平面に固定された状態で、リング保持部の上端に垂直方向の荷重を加えて行われた。図２５Ａ〜図２５Ｆは、曲げテストを行った試験片をそれぞれ示し、図２６は、曲げテストの結果を示すグラフである。また、下記表１は、６つの試験片のそれぞれの材料、厚さ及び１ｍｍのストロークでの強度を示す。
【００９８】
【表１】
2019142622.tif 000003
【００９９】
図２５Ａに示す比較例１による釣り糸ガイドのリングサポートでは、リング支持部内に四角形の開口が形成され、リング保持部はリング支持部に対して所定角度で傾いている。図２５Ｂに示す比較例２による釣り糸ガイドのリングサポートでは、前述の第１開口と類似の開口が形成されるものの、リング保持部とリング支持部は折り曲げられない。図２５Ｃに示す比較例３による釣り糸ガイドのリングサポートでは、リング保持部に前述の補強フランジと類似のフランジが形成され、リング支持部に前述の第１開口と類似の開口が形成されるものの、リング支持部とリング保持部は折り曲げられない。図２５Ｄに示す比較例４による釣り糸ガイドのリングサポートでは、前述の補強フランジと類似のフランジがリング保持部に形成され、前述の第１開口と類似の開口がリング支持部に形成され、リング支持部が開口で折り曲げられている。図２５ｅに示す試験例１による釣り糸ガイドには、前述の図１３に示す釣り糸ガイド３０００のリングサポートが採用される。図２５Ｆに示す試験例２による釣り糸ガイドには、前述の図２０に示す釣り糸ガイド４０００のリングサポートが採用される。
【０１００】
前記表１と図２６から確認されるように、試験例１によるリングサポートの曲げ強度は、比較例２によるリングサポートの曲げ強度に比べて３０％向上した曲げ強度を有する。また、試験例２によるリングサポートの曲げ強度は、比較例２によるリングサポートの曲げ強度に比べて３８％向上した曲げ強度を有する。
【０１０１】
前述の実施例による釣り糸ガイドは、釣り糸の糸絡みが発生しても、糸絡みを円滑に解除するように構成されている。例えば、リングサポートのＹ字状曲げ部により、釣り糸ガイドに発生した糸絡みが円滑に解除され得る。図２７Ａ〜図２７Ｇを参照し、釣り糸の糸絡みが発生する例と糸絡みが解除される例を説明する。図２７Ａ〜図２７Ｇにおいて、矢印（Ｆ３）は、仕掛けのキャストの際に釣り糸にかかる張力を指し、矢印（Ｆ４）は、仕掛けのキャストの際に釣り糸ガイドに加えられる風の力を指し、矢印（Ｆ５）は、釣り糸をリール側へ引き戻す力を指す。
【０１０２】
図２７Ａを参照すると、仕掛けのキャスト際にリールから放出された釣り糸１３０では、風の力（Ｆ４）または釣り竿の動きにより釣り糸の一部がリングサポート１３００を追い越してループ部１３１を形成することがある。図２７Ｂを参照すると、ガイドリング３２００を通過する前のループ部１３１が釣り竿のチップに向かう釣り糸の一部１３２を乗り越えることがある。図２７Ｃを参照すると、ループ部１３１が風の力（Ｆ４）や釣り竿の動きによりリングサポート１３００の上端に向かって移動することがある。図２７Ｄを参照すると、ガイドリング３２００に進入する前の釣り糸の一部１３３に、風の向きの変化や釣竿の動きにより、釣り糸をリール側へ引き戻す力（Ｆ５）が働き、釣り糸の一部１３３とリングサポート１３００との間にループ部１３１が入り込んでリングサポート１３００を巻くことがある。図２７Ｅを参照すると、釣り竿のチップに向かう張力（Ｆ３）と引き戻す力（Ｆ５）により、リングサポート１３００を巻いているループ部１３１が引っ張られながら縮小され得る。図２７Ｆを参照すると、引き戻す力（Ｆ５）によりループ部１３１がさらに縮小され、釣り糸１３０は、リングサポート１３００の第１曲げ部１３３１周辺に巻かれた糸絡み部１３４を形成しながらロック状態となることがある。図２７Ｆに示すロック状態の糸絡み部１３４により、釣り糸ガイドに釣り糸の糸絡みが発生し得る。
【０１０３】
しかし、実施例による釣り糸ガイドでは、リングサポート１３００のＹ字状曲げ部により、釣り糸の糸絡みは円滑に解除され得る。糸絡みが発生した状況で、釣り糸１３０には、張力（Ｆ３）が継続して加えられている。図２７Ｇを参照すると、ロック状態にある糸絡み部１３４は、張力（Ｆ３）によりリングサポート１３００の上端に向かって円滑にスライディングし、リングサポート１３００の上端を過ぎると、糸絡み部１３４が解除され得る。これと関連し、Ｙ字状曲げ部により、リング保持部１３１０がリング支持部１３２０に対して曲げられており、リング支持部１３２０は釣り竿のチップに向かって曲げられているため、補強フランジ４３１２の下側壁面やガイドリング３２００の下側壁面は、Ｙ字状曲げ部が形成する前面１３２３の凹んだ部分１３２５に位置する。即ち、補強フランジ４３１２の最下端点とガイドリング３２００の最下端点は、第２曲げ部１３３２の幅方向での両端点より下側に位置する。また、糸絡み部１３４は、Ｙ字状曲げ部により凹んだ部分１３２５に入ることができず、凹んだ部分１３２５から離隔されている。これにより、糸絡み部１３４は、補強フランジ４３１２の下側壁面またはガイドリング３２００の下側壁面にかかることなくリングサポート１３００の上端にスライディングされて解除され得る。
【０１０４】
図２７Ｈは、糸絡みが解除され得ない比較例によるリングサポートを示す。図２７Ｈに示すように、実施例によるＹ字状曲げ部を備えられないリングサポートでは、糸絡み部１３４が補強フランジの下側壁面またはガイドリングの下側壁面にかかり、リングサポートの上端に移動されることができず、糸絡みが解除され得ない。
【０１０５】
本開示の第５実施例による釣り糸ガイドの説明のために、図２８及び図２９に示す例が参照される。図２８は、第５実施例による釣り糸ガイドのリングサポートを示し、図２９は、図２８の２９−２９線に沿ってとった断面図である。
【０１０６】
リングサポート１３００の補強フランジ４３１２は、その内周面（詳細には、嵌合面４３１３）に形成された複数の嵌合突起５３１５を有する。図２８に示すように、３つの嵌合突起５３１５が嵌合面４３１３に形成され得る。嵌合突起５３１５の個数は３つに限定されず、４つ以上であってもよい。嵌合突起５３１５は、補強フランジ４３１２の嵌合面４３１３から僅かな高さでリング保持孔３３１１側に突出する。嵌合突起５３１５は、補強フランジ４３１２の嵌合面４３１３をシェービング（ｓｈａｖｉｎｇ）加工により若干の深さで切削することにより形成され得る。
【０１０７】
ガイドリング３２００は、リング保持孔３３１１に挿入され、３つの嵌合突起５３１５の表面と嵌合され得る。ガイドリング３２００がリング保持孔３３１１に挿入されると、嵌合突起５３１５がガイドリング３２００の外周面と接触する。リング保持部１３１０は、補強フランジ４３１２の３つの嵌合突起５３１５によりガイドリング３２００を３個所で保持する。即ち、リング保持部１３１０は、３つの嵌合突起５３１５を介してガイドリング３２００と接触する。ガイドリング３２００の外周面は、補強フランジ４３１２の嵌合面４３１３と面接触せず、嵌合突起５３１５と面接触または点接触する。また、図２９に示すように、ガイドリング３２００は、ガイドリング３２００の外周面と補強フランジ４３１２の内周面（嵌合面４３１３）との間に形成された隙間を有して嵌合突起５３１５と嵌合される。このような隙間は、嵌合面４３１３から突出した嵌合突起５３１５により形成され、接着剤を収容することができる。ガイドリング３２００を３個所での嵌合により保持する構造により、ガイドリング３２００の寸法とリング保持孔３３１１の寸法をガイドリング３２００とリング保持孔３３１１が正確に嵌合されるように加工する必要がない。即ち、ガイドリング３２００を３個所での嵌合により保持する構造により、ガイドリング３２００とリング保持孔３３１１との間の嵌合許容公差を拡大させることができる。
【０１０８】
図３０Ａ〜図３０Ｇは、図２８に示すリングサポート及び釣り糸ガイドを製造する一例を示す。
【０１０９】
図３０Ａを参照すると、金属シート２００内に図２８に示すリング保持孔３３１１の形状に対応する形状を有する貫通孔２１０を形成する。金属シート２００は、純チタンの金属材料からなることができる。貫通孔２１０の形成は、パンチングまたはドリリングにより行われることができる。図３０Ｂを参照すると、図３０Ａに示す貫通孔２１０の全周に沿って補強フランジ４３１２を形成する。補強フランジ４３１２の形成は、バーリング（ｂｕｒｒｉｎｇ）により、例えば、プレスパンチを用いて貫通孔２１０の縁部全体を釣り竿のチップに向かうように（即ち、リング保持部に垂直になるように）突出させることにより行われることができる。これにより、嵌合面４３１３と案内面４３１４を有し、嵌合面４３１３によりリング保持孔３３１１を形成する補強フランジ４３１２がリング保持孔３３１１の周りに沿って形成される。図３０Ｃを参照すると、補強フランジ４３１２の嵌合面４３１３に嵌合突起５３１５が形成される。嵌合突起５３１５の形成は、シェービング（ｓｈａｖｉｎｇ）により行われることができる。例えば、シェービング（ｓｈａｖｉｎｇ）により嵌合面４３１３を嵌合突起５３１５が残るように若干切削することにより、嵌合突起５３１５が形成され得る。図３０Ｄを参照すると、金属シート２００にリング保持孔３３１１に隣接するように第１開口２３５１と第２開口３３５２を形成する。第１開口２３５１と第２開口３３５２の形成は、パンチングまたはドリリングにより行われることができる。図３０Ｅを参照すると、金属シート２００をプレス金型を用いてプレス加工して、第１曲げ部１３３１と第２曲げ部１３３２を形成しながら、第１曲げ部１３３１及び第２曲げ部１３３２周辺の金属シート２００の部分をベンディングさせる。第１及び第２曲げ部１３３１、１３３２の形成と金属シート２００のベンディングは、第１曲げ部１３３１と第２曲げ部１３３２を形成するように構成されたプレス金型を用いて行われる。また、この時、第１曲げ部１３３１と第２曲げ部１３３２の形状に対応する加工硬化部が金属シート２００に生成される。次に、第１及び第２曲げ部１３３１、１３３２が形成され、これらを介してベンディングされた金属シート２００をブランキングなどのプレス加工をして、金属シート２００から図３０Ｆに示すリングサポート１３００を抜く。次に、図３０Ｇを参照すると、リングサポート１３００をインサートとして用いて取付部１１００が樹脂材料（例えば、カーボン長繊維強化樹脂）により射出成形される。リングサポート１３００と取付部１１００は、リング支持部１３２０の下側一部が取付部１１００に埋め込まれる方式で、部分的に結合する。取付部１１００に埋め込まれるリング支持部１３２０の部分は、第１曲げ部１３３１の下側一部及び第２開口３３５２を含む。
【０１１０】
図３０Ｆに示すように、金属シート２００に第１及び第２曲げ部１３３１、１３３２が形成された後、金属シート２００からリングサポート１３００の形状を抜くことにより、リングサポート１３００が形成される。これにより、完成したリングサポート１３００の外側寸法の変化が小さい。また、金属シート２００から破断されたリングサポート１３００の破断面（リングサポート１３００の側面）が角度を有さず、リングサポート１３００の側面はリングサポート１３００の前面または後面と鋭角を形成する。前記鋭角は、第１曲げ角の半分となる。もし、金属シート２００からリングサポート１３００の平面形状に対応する加工品を抜いた後、そのような加工品に第１及び第２曲げ部１３３１、１３３２を形成する場合、リングサポート１３００の破断面は、リングサポート１３００の前面または後面と略直角を形成し、曲げによる寸法安定性が悪化する。即ち、この場合、リングサポート１３００の側面が釣り竿の中心軸または取付部の中心軸に対して傾斜する。しかし、前述のように完成したリングサポート１３００は、その破断面リングサポートの側面が角度を有さないため、完成したリングサポート１３００は、取付部を射出成形するための金型に精密に安着され得、樹脂漏れのような成形不良を予防することができる。図３０Ａ〜図３０Ｇを参照して説明された例は、前述の実施例のリングサポートの形成にも適用され得る。この場合、リングサポートの形状に応じて、図３０Ａ〜図３０Ｆに示す例の一部が省略され得る。
【０１１１】
本開示の第６実施例による釣り糸ガイドの説明のために、図３１に示す例が参照される。この実施例による釣り糸ガイド６０００において、取付部１１００は内周面に、周方向に配列され釣り竿の中心軸（ＣＡ１）の方向に延長する複数のセレーション６１４０（ｓｅｒｒａｔｉｏｎ）を有する。セレーション６１４０の横断面の形状は三角形を有する。この実施例において、取付部１１００は、強度の高い樹脂材料（例えば、カーボン長繊維強化樹脂）からなる。これにより、セレーション６１４０の三角形状の頂点部分での強度が高く、取付部１１００を竿体の管状竿の外周面に嵌め付ける際に、セレーション６１４０の頂点部分が嵌め付ける力により潰れたり崩れ落ちたりしない。即ち、取付部１１００の強い強度により、セレーション６１４０は、潰れることなく最初に形成された高さを維持する。セレーション６１４０の頂点部分が潰れないため、取付部１１００は、強い回転耐力を有する。
【０１１２】
本開示の第７実施例による釣り糸ガイドの説明のために、図３２〜図３４に示す例が参照される。図３２は、本開示の第７実施例による釣り糸ガイドを示す斜視図である。図３３は、図３２に示す釣り糸ガイドの正面図である。図３４は、第７実施例による釣り糸ガイドの変形例を示す正面図である。
【０１１３】
図３２に示す第７実施例による釣り糸ガイド７０００は、ガイドリングが管状竿の外径より大きく、リングサポートが取付部に向かって狭くなる形状を有することを除いては、前述の実施例の釣り糸ガイドと同一の構成を有する。また、図３２及び図３５に示すリングサポートと取付部は、図３０Ａ〜図３０Ｇを参照して説明した方式と同様に製造されることができる。
【０１１４】
図３２を参照すると、釣り糸ガイド７０００は、釣り竿の竿体１１０（詳細には、竿体１１０を構成する管状竿の１つ）に取り付けられる取付部７１００と、釣り糸１３０が通るガイドリング７２００と、ガイドリング７２００を保持及び支持して取付部７１００と部分的に結合されるリングサポート７３００とを含む。
【０１１５】
ガイドリング７２００は、竿体１１０の管状竿の外径より大きい外径を有する。これにより、釣り糸ガイド７０００は、管状竿の外径より大きい外径を有するガイドリングが用いられる例に適用され得る。ガイドリング７２００の形状及び構成は、図３及び図１３に示すガイドリングの形状及び構成と類似することができる。
【０１１６】
取付部７１００は、環状体７１１０を含み、竿体１１０の管状竿の１つが環状体７１１０を貫通することができる。前記管状竿が環状体７１１０を貫通した状態で、取付部７１００は前記管状竿に沿ってスライド可能であり、前記管状竿に対して回転することができる。前記管状竿は、前方方向（ＴＤ）に細くなるテーパ状を有する。従って、環状体７１１０を後方方向（ＢＤ）に移動させることにより、取付部７１００が前記管状竿の外周面と嵌合されて固定され得る。
【０１１７】
取付部７１００は、リングサポート７３００の下側一部が取付部７１００内に埋め込まれるように、リングサポート７３００と一体に結合される。一例として、リングサポート７３００の下側一部が環状体７１１０内に埋め込まれるようにリングサポート７３００をインサートとして用いて樹脂材料の射出成形により、取付部７１００とリングサポート７３００が一体に結合され得る。取付部７１００の前記樹脂材料として、前述のカーボン長繊維強化樹脂材料が用いられるものの、これに限定されるものではない。他の例として、リングサポート７３００の下側一部と取付部７１００との間の嵌合及び接着剤接合の方式により、リングサポート７３００の下側一部が環状体７１１０内に埋め込まれるように、リングサポート７３００と取付部７１００が一体に結合されることもできる。
【０１１８】
リングサポート７３００の材料及び加工方式は、前述の実施例でのリングサポートの材料及び加工方式と類似する。リングサポート７３００は、その中に形成された曲げ部によりリングサポート７３００を構成する部分が互いに対して折り曲げられたり、湾曲している金属製の薄板として形成されている。
【０１１９】
リングサポート７３００は、管状竿の外径より大きい外径を有するガイドリング７２００に適合した形状を有する。このために、リングサポート７３００は、ガイドリング７２００から取付部７１００に向かって狭くなる形状を有する。即ち、リングサポート７３００の各側端縁の一部は、取付部７１００に向かう下方方向（ＬＤ）にリングサポート７３００の中心に近くなるように形成される。
【０１２０】
図３３を参照すると、一実施例において、リングサポート７３００は、一対の第１側端縁７３６１と、一対の第２側端縁７３６２と、一対の境界部７３６３とを含む。一対の第１側端縁７３６１は、取付部７１００から上方方向（ＵＤ）に延長し、互いに遠くなるように傾斜している。一対の第２側端縁７３６２は、一対の第１側端縁７３６１から上方方向（ＵＤ）にそれぞれ延長する。一対の第２側端縁７３６２は、一対の第１側端縁７３６１の傾斜角度と異なる傾斜角度で傾斜している。一対の境界部７３６３は、第１側端縁７３６１のそれぞれと第２側端縁７３６２のそれぞれとの間にそれぞれ位置する。境界部７３６３は、第１側端縁７３６１と第２側端縁７３６２との間の境界となる。境界部７３６３を基準として、第１側端縁７３６１の傾斜角度と第２側端縁７３６２の傾斜角度が異なる。
【０１２１】
一対の第１側端縁７３６１は、取付部７１００からリングサポート７３００の上端に向かって互いに次第に遠くなる。一対の第２側端縁７３６２は、ガイドリング７２００の付近に位置する。一対の第２側端縁７３６２は、リングサポート７３００の上端に向かって互いに次第に近くなる。一対の第２側端縁７３６２は、０度超３０度以下の夾角（ＩＡ３）で互いに向かって傾いている。他の例として、一対の第２側端縁７３６２は互いに平行であり、夾角を有しないこともある。前述の側端縁の形状により、リングサポート７３００は、ガイドリング７２００に向かって広くなり、境界部７３６３を過ぎてから再度狭くなる形状を有する。従って、リングサポート７３００の幅は、上方方向（ＵＤ）に次第に大きくなってから次第に小さくなり、境界部７３６３で最大となる。
【０１２２】
図３２及び図３３を参照すると、リングサポート７３００は、ガイドリング７２００を保持するリング保持部７３１０と、リング保持部７３１０を介してガイドリング７２００を支持するリング支持部７３２０と、を含む。リングサポート７３００を構成する前記金属製の薄板で、リング保持部７３１０とリング支持部７３２０は一体に形成され、リング保持部７３１０は平らである。
【０１２３】
リング保持部７３１０は、ガイドリング７２００が結合されるリング保持孔７３１１を有する。リング保持孔７３１１は、リング保持部７３１０にリング保持部７３１０の厚さ方向に貫通している。リング保持部７３１０は、リング保持孔７３１１によりガイドリング７２００の全周に沿ってガイドリング７２００を保持するように略環状をとる。リング保持孔７３１１の形状と、リング保持孔７３１１とガイドリング７２００との間の結合は、前述の第１実施例の釣り糸ガイドを参照して説明した形状及び結合と類似することができる。
【０１２４】
リング保持部７３１０の上側縁は、半円形状を有する。リング保持部７３１０の幅方向（ＷＤ）での両側端縁は、取付部７１００に向かう下方方向（ＬＤ）に互いに遠くなることができる。図３３に示すように、リング保持部７３１０の各側端縁は、前述の第２側端縁７３６２として形成されている。これにより、リング保持部７３１０の両側端縁は、リング保持孔７３１１の中心に対して夾角（ＩＡ３）で互いに向かって傾斜している。他の例として、リング保持部７３１０の両側端縁は、平行であってもよい。また、他の例として、リング保持部７３１０の各側端縁の一部が、前述の第２側端縁７３６２として形成され得る。リング保持部７３１０の下端縁は、下方方向（ＬＤ）に凸なＶ字状を取り、リング保持部７３１０はその下端縁でリング支持部７３２０と一体に連結される。
【０１２５】
図３３を参照すると、リング支持部７３２０は、リング保持部７３１０のＶ字状の下端縁に対応するＶ字状の上端縁を有する。リング支持部７３２０の幅方向（ＷＤ）での各側端縁は、前述の第１側端縁７３６１を含む。これにより、リング支持部７３２０の両側端縁は、取付部７１００に向かう下方方向（ＬＤ）に互いに狭くなる。
【０１２６】
リングサポート７３００は、リング支持部７３２０内に前述の第１曲げ部１３３１を有する。第１曲げ部１３３１は、幅方向（ＷＤ）でリング支持部７３２０の中央に位置する。第１曲げ部１３３１は、竿体１１０の管状竿に向かう下方方向（ＬＤ）にリング支持部７３２０の下端まで延長する。リング支持部７３２０は、第１曲げ部１３３１を含む下側一部で、取付部７１００内に埋め込まれている。
【０１２７】
リング支持部７３２０は、第１曲げ部１３３１を基準として、釣り竿のチップに向かう方向（前方方向（ＴＤ））に前述の第１曲げ角で曲げられている。これにより、図３３に示すように、リング支持部７３２０は、第１曲げ部１３３１により区分され対称形状に形成された右半部７３２１と左半部７３２２を有する。右半部７３２１と左半部７３２２は、第１曲げ部１３３１を介して一体になっており、前方方向（ＴＤ）に前述の第１曲げ角で互いに向かうように傾いている。
【０１２８】
リングサポート７３００は、リング保持部７３１０とリング支持部７３２０との間の境界となる前述の第２曲げ部１３３２を有する。リング保持部７３１０の下端縁とリング支持部７３２０の上端縁が第２曲げ部１３３２を形成する。リング保持部７３１０は、第２曲げ部１３３２を基準として、リング支持部７３２０に対して釣り竿のチップに向かう方向（前方方向（ＴＤ））に前述の第２曲げ角で曲げられている。第２曲げ部１３３２は、リングサポート７３００の一側端から他側端まで延長する。第２曲げ部１３３２とリングサポート７３００の両側端縁との間の接続点が、第２曲げ部の両端点（Ｐ２）となる。この実施例において、第１側端縁７３６１と第２側端縁７３６２との間の前述の一対の境界部７３６３は、第２曲げ部１３３２の両端点（Ｐ２）にそれぞれ位置する。
【０１２９】
第２曲げ部１３３２は、リングサポート７３００の下端に向かって凸である。図３２及び図３３を参照すると、第２曲げ部１３３２は、下方方向（ＬＤ）に凸なＶ字状を有し、その中心点（Ｐ１）で第１曲げ部１３３１の上端に連結される。また、リングサポート７３００の側方視において、第２曲げ部１３３２は、前方方向（ＴＤ）と上方方向（ＵＤ）との間の斜めの方向に傾いている。図３３に示すように、第２曲げ部１３３２は、第１曲げ部１３３１と第２曲げ部１３３２との間の連結点（第２曲げ部１３３２の中心点（Ｐ１））から第１曲げ部１３３１に対して鈍角で延長する一対の直線状曲げ部１３３３、１３３４を含む。
【０１３０】
互いに合う第１曲げ部１３３１と第２曲げ部１３３２は、Ｙ字状を形成し、リングサポート７３００にＹ字状曲げ部を形成する。従って、リングサポート７３００は、リング保持部７３１０、リング支持部７３２０の右半部７３２１及びリング支持部７３２０の左半部７３２２が互いに向かって曲げられた金属製の薄板として形成される。また、このような金属製の薄板において、リング保持部７３１０、リング支持部７３２０の右半部７３２１及びリング支持部７３２０の左半部７３２２は、Ｙ字状曲げ部をなす第１及び第２曲げ部１３３１、１３３２を介して一体に形成され、これらが第１及び第２曲げ部１３３１、１３３２により互いに向かって曲げられている。このように、リングサポート７３００には、第１曲げ部１３３１と第２曲げ部１３３２が形成するＹ字状曲げ部が提供されている。また、リングサポート７３００には、Ｙ字状曲げ部に沿って前述のＹ字状の加工硬化部が形成されている。従って、釣り糸ガイド７０００は、前述の第１曲げ部と第２曲げ部が形成するＹ字状曲げ部により、向上した曲げ強度、向上した回転防止強度及び向上した取付強度を有する。
【０１３１】
糸絡みの円滑な解消のために、特定の寸法範囲にリングサポート７３００の各部分が形成され得る。図３３を参照すると、第２曲げ部１３３２の直線状曲げ部１３３３、１３３４間の夾角は、前述の夾角（ＩＡ１）になり得る。また、第２曲げ部１３３２の中心点（Ｐ１）は、第２曲げ部１３３２の両端点（Ｐ２）より下に位置し、リング保持孔７３１１の最下端点（Ｐ３）は、第２曲げ部１３３２の両端点（Ｐ２）より下に位置し、糸絡みの円滑な解除に寄与する。また、リングサポート７３００の側端縁の一対の境界部７３６３は、第２曲げ部１３３２の両端点（Ｐ２）にそれぞれ位置するか、または第２曲げ部１３３２の両端点（Ｐ２）より上側にそれぞれ位置する。図３３に示すように、リングサポート７３００の側端縁の一対の境界部７３６３は、両端点（Ｐ２）に位置することができる。第１曲げ角（ＢＡ１）、第２曲げ角（ＢＡ２）、夾角（ＩＡ１）及び夾角（ＩＡ３）が、前述のそれぞれの範囲内での角度値を有するようにリングサポート７３００が形成される場合に、リングサポート７３００での糸絡みが円滑に解除され得る。また、第２曲げ部１３３２の中心点（Ｐ１）、第２曲げ部１３３２の両端点（Ｐ２）、リング保持孔７３１１の最下端点（Ｐ３）及びリングサポート７３００の側端縁の一対の境界部７３６３間の前述の位置関係により、リングサポート７３００での糸絡みが円滑に解除され得る。
【０１３２】
図３４は、前述の第７実施例の釣り糸ガイドの変形例を示す。図３４を参照すると、リングサポート７３００の側端縁の一対の境界部７３６３は、第２曲げ部１３３２の両端点（Ｐ２）より上側に位置する。これにより、リング保持部７３１０の各側端縁は、前述の第１側端縁７３６１及び第２側端縁７３６２の一部を含む。
【０１３３】
図３５Ａ〜図３５Ｊを参照し、この実施例の釣り糸ガイドで糸絡みの発生と解除の例を説明する。図３５Ａ〜図３５Ｊは、図３２に示す釣り糸ガイドに糸絡みが発生して糸絡みが解除される例を順次示す。図３５Ａ〜図３５Ｊにおいて、矢印（Ｆ３）は、仕掛けのキャストの際に釣り糸にかかる張力を指し、矢印（Ｆ４）は、釣り糸ガイドに加えられる風の力を指し、矢印（Ｆ５）は、釣り糸をリール側へ引き戻す力を指す。
【０１３４】
図３５Ａを参照すると、仕掛けのキャストの際に、リールから放出された釣り糸１３０の一部は、風の力（Ｆ４）または釣り竿の動きによりリングサポート７３００を追い越してループ部１３１を形成することができる。図３５Ｂを参照すると、ガイドリング７２００を通過する前のループ部１３１が釣り竿のチップに向かう釣り糸の一部１３２を乗り越えることがある。図３５Ｃを参照すると、ループ部１３１が風の力（Ｆ４）や釣り竿の動きによりリングサポート７３００の上端を過ぎてリングサポート７３００の下端に向かって移動することがある。図３５Ｄを参照すると、ガイドリング７２００に進入する前の釣り糸の一部１３３に風の方向の変化や釣り竿の動きにより、釣り糸をリール側へ引き戻す力（Ｆ５）が作用し、ループ部１３１がリングサポート７３００の下端に移動してリングサポート７３００を巻くことがある。これと関連し、リングサポート７３００の一対の第１側端縁７３６１により、リングサポート７３００の幅がリングサポート７３００の下端に向かって小さくなるため、ループ部１３１が取付部７１００の付近まで移動する。これにより、リングサポート７３００の側方に糸絡み部１３４が形成されながら、釣り糸はロック状態となることがある。図３５Ｅを参照すると、釣り竿のチップに向かう張力（Ｆ３）により、釣り糸の一部１３５、１３６、１３７、１３８がリングサポート７３００に締め込まれ得る。図３５Ｆを参照すると、張力（Ｆ３）が継続して作用する状況で、釣糸の一部１３６は張力（Ｆ３）により、釣竿のチップ側へ大きく移動して、釣り糸の一部１３５が最も締め込まれるので、釣り糸の一部１３５が支点となり、釣り糸の一部１３７と釣り糸の一部１３８は、張力（Ｆ３）によりガイドリング７２００に向かって移動することがある。図３５Ｇを参照すると、張力（Ｆ３）が継続して作用する状況で、リングサポート７３００に絡みついている釣り糸の一部１３７がリングサポート７３００の側端縁の境界部７３６３を乗り越えてリングサポート７３００の上端に向かって移動することがあり、その次に、釣り糸の一部１３８がリングサポート７３００の側端縁の境界部７３６３を乗り越えてリングサポート７３００の上端に向かって移動することがある。図３５Ｈを参照すると、張力（Ｆ３）が継続して作用する状況で、ループ部１３１と糸絡み部１３４がリングサポート７３００の上端に向かって移動することがある。図３５Ｉと図３５Ｊを参照すると、張力（Ｆ３）が継続して作用する状況で、ループ部１３１は、リングサポート７３００の上端に向かってスライディングし、ループ部１３１がリングサポート７３００の上端を過ぎると、糸絡み部１３４が解除され得る。
【０１３５】
リングサポート７３００のＹ字状曲げ部により、リング保持部７３１０がリング支持部７３２０に対して曲げられており、リング支持部７３２０は釣り竿のチップに向かって曲げられているため、ガイドリング７２００の下側壁面は、Ｙ字状曲げ部が形成する凹んだ部分１３２５の付近に位置する。即ち、ガイドリング７２００の最下端点は、第２曲げ部１３３２の両端点より下側に位置する。また、ループ部１３１は、Ｙ字状曲げ部により凹んだ部分１３２５に入ることができず、凹んだ部分１３２５から離隔されている。これにより、ループ部１３１は、ガイドリング７２００の下側壁面にかかることなくリングサポート７３００の上端に円滑にスライディングできる。また、リングサポート７３００の側端縁の一対の境界部７３６３が第２曲げ部１３３２の両端点に位置するか、または両端点より上側に位置するため、図３５Ｆ及び図３５Ｇに示す釣り糸の一部１３７及び釣り糸の一部１３８が境界部７３６３を円滑に乗り越えることができ、ループ部１３１が円滑にリングサポート７３００の上端に移動することができる。
【０１３６】
図３５Ｋは、糸絡みが解除され得ない比較例による釣り糸ガイドを示す。図３５Ｋに示すリングサポートでは、側端縁の境界部７３６３が第２曲げ部１３３２の両端点より下側に位置する。これにより、釣り糸の一部１３５を支点にして動く釣り糸の一部１３７は、境界部７３６３を乗り越えることができず、張力（Ｆ３）が更に加われば、釣り糸の一部１３７と釣り糸の一部１３８は締め込まれ、ループ部１３１は、リングサポートの上端に向かって移動することができず、釣り糸の糸絡みが解除され得ない。
【０１３７】
図３６Ａ〜図３６Ｃは、実施例の釣り糸ガイドに採用され得るリングサポートの曲げ部の多様な例を示す。
【０１３８】
図３６Ａに示すリングサポート１３００では、第１曲げ部１３３１Ａは比較的広い幅を有し、リング支持部１３２０の前面と後面上で幅が広い湾曲した面として現れる。第１曲げ部１３３１Ａと連結される第２曲げ部１３３２Ａは、その中央に曲線状曲げ部１３３５Ａと曲線状曲げ部１３３５Ａの両端から延長する一対の直線状曲げ部１３３３Ａ、１３３４Ａとを含む。曲線状曲げ部１３３５Ａが第１曲げ部１３３１Ａと連結される。第１曲げ部１３３１Ａと第２曲げ部１３３２Ａは、略Ｙ字状を形成する。
【０１３９】
図３６Ｂに示すリングサポート１３００において、第２曲げ部１３３２Ｂは、下方方向に凸に湾曲した形状に形成されている。第２曲げ部１３３２Ｂは概ねその全長にわたって延長する曲線状曲げ部１３３５Ｂを含む。曲線状曲げ部１３３５Ｂは、第１曲げ部１３３１Ｂと連結される。第１曲げ部１３３１Ｂは、リング支持部１３２０のほぼ全体に形成され得、リング支持部１３２０の前面と後面上で幅が広い湾曲した面として現れる。曲線状曲げ部１３３５Ｂの曲線状でのリング支持部１３２０の幅方向で向かい合う２つの点にそれぞれ接する２つの接線を仮定すると、このような２つの接線は、図１１に示す夾角（ＩＡ１）を有することができる。第２曲げ部１３３２Ｂの両端から所定の長さの部分は、前述の直線状曲げ部として形成されてもよい。第１曲げ部１３３１Ｂと第２曲げ部１３３２Ｂは、略Ｙ字状を形成する。
【０１４０】
図３６Ｃに示すリングサポート１３００において、第１曲げ部１３３１Ｃは、一対の直線状曲げ部１３３１Ｃ１，１３３１Ｃ２を含む。第２曲げ部１３３２Ｃは、中央に位置する直線状曲げ部１３３６Ｃと直線状曲げ部１３３６Ｃの各端から斜めに延長する一対の直線状曲げ部１３３３Ｃ，１３３４Ｃとを含む。第１曲げ部１３３１Ｃの直線状曲げ部１３３１Ｃ１，１３３１Ｃ２に第２曲げ部１３３２Ｃの直線状曲げ部１３３６Ｃの各端が連結される。第２曲げ部１３３２Ｃの直線状曲げ部１３３３Ｃ，１３３４Ｃは、図１１に示す夾角（ＩＡ１）を有することができる。各直線状曲げ部１３３３Ｃ，１３３４Ｃは、第１曲げ部１３３１Ｃと第２曲げ部１３３２Ｃとの間の連結点（直線状曲げ部１３３１Ｃ１，１３３１Ｃ２と直線状曲げ部１３３６Ｃとの間の連結点）から第１曲げ部１３３１Ｃに対して鈍角で延長する。第１曲げ部１３３１Ｃの直線状曲げ部１３３１Ｃ１，１３３１Ｃ２間でリング支持部１３２０の部分は平らに形成される。リング支持部１３２０の前面と後面は、３つの表面領域に区分される。第１曲げ部１３３１Ｃと第２曲げ部１３３２Ｃは、２個所で合い、第１曲げ部１３３１Ｃと第２曲げ部１３３２Ｃは、略Ｙ字状を形成する。
【０１４１】
前述の実施例のリングサポート及び図３６Ａ〜図３６Ｃに示すリングサポートは、その中にＹ字状のまたは略Ｙ字状の曲げ部を有するため、曲げ部をその中に有さない平らな薄板からなるリングサポートに比べて向上した強度を有する。
前述の実施例において、取付部は管状竿が貫通する環状体を含む。他の実施例として、釣り糸ガイドの取付部は、管状竿の外周面に取り付けられる取付足形状の構造物として形成されてもよい。このような取付足は、巻き糸により管状竿の外周面に固着され得、接着剤が巻き糸に塗布され得る。
【０１４２】
前述の実施例において、リングサポートは、第１曲げ部とこれに連結される第２曲げ部を含む。他の実施例において、リングサポートは、第１曲げ部のみを含むこともできる。このような実施例では、リング支持部は、第１曲げ部を基準として、第１曲げ角で釣り竿のチップに向かって曲げられ得、リング保持部はリング支持部から曲げなしに延長できる。
【０１４３】
他の実施例において、リングサポートは、図１７及び図２３に示す第１開口２３５１と第２開口３３５２のうちいずれか１つのみを有することもできる。例えば、第１開口２３５１のみがリングサポートに形成され得たり、第２開口３３５２のみがリングサポート１３００に形成され得る。
【０１４４】
以上、一部実施例と添付の図面に示す例によって本開示の技術的思想が説明されたものの、本開示が属する技術分野で通常の知識を有する者が理解できる本開示の技術的思想及び範囲を逸脱しない範囲で多様な置換、変形及び変更がなされ得るという点を知っているべきである。また、そのような置換、変形及び変更は、添付の請求の範囲内に属するものと考えられるべきである。
【符号の説明】
【０１４５】
１００  釣り竿、１０１  釣り竿のチップ、１０２  釣り竿のバット、１１０  竿体、１１３  管状竿、１１６  第２アライメント標識、１３０  釣り糸、１０００  釣り糸ガイド、２０００  釣り糸ガイド、３０００  釣り糸ガイド、４０００  釣り糸ガイド、５０００  釣り糸ガイド、６０００  釣り糸ガイド、７０００  釣り糸ガイド、１１００  取付部、７１００  取付部、１１１０  環状体、７１１０  環状体、１１１５  後端面、３１２０  上方リブ、３１２１  後端面、３１２３  第１アライメント標識、３１３０  側方リブ、３１３１  後端面、１２００  ガイドリング、３２００  ガイドリング、７２００  ガイドリング、１３００  リングサポート、７３００  リングサポート、１３１０  リング保持部、７３１０  リング保持部、１３１１  リング保持孔、３３１１  リング保持孔、７３１１  リング保持孔、４３１２  補強フランジ、４３１３  嵌合面、４３１４  案内面、５３１５  嵌合突起、１３２０  リング支持部、７３２０  リング支持部、１３３１  第１曲げ部、１３３２  第２曲げ部、１３３３  直線状曲げ部、１３３３Ｃ  直線状曲げ部、１３３４  直線状曲げ部、１３３４Ｃ  直線状曲げ部、１３３６Ｃ  直線状曲げ部、１３３５Ａ  曲線状曲げ部、１３３５Ｂ  曲線状曲げ部、１３４１  加工硬化部、１３４２  加工硬化部、２３５１  第１開口、３３５２  第２開口、７３６１  第１側端縁、７３６２  第２側端縁、７３６３  境界部、ＢＡ１  第１曲げ角、ＢＡ２  第２曲げ角、ＣＡ１  中心軸、ＩＡ１  夾角、ＩＡ２  夾角、Ｐ１  第２曲げ部の中心点、Ｐ２  第２曲げ部の両端点、Ｐ３  リング保持孔の最下端点、ＢＴ  リング支持部の前端と後端との間の距離、ＴＤ  前方方向、ＢＤ  後方方向、ＵＤ  上方方向、ＬＤ  下方方向。
【図１】
2019142622.tif 000004
【図２】
2019142622.tif 000005
【図３】
2019142622.tif 000006
【図４】
2019142622.tif 000007
【図５】
2019142622.tif 000008
【図６】
2019142622.tif 000009
【図７】
2019142622.tif 000010
【図８】
2019142622.tif 000011
【図９】
2019142622.tif 000012
【図１０】
2019142622.tif 000013
【図１１】
2019142622.tif 000014
【図１２】
2019142622.tif 000015
【図１３】
2019142622.tif 000016
【図１４】
2019142622.tif 000017
【図１５】
2019142622.tif 000018
【図１６】
2019142622.tif 000019
【図１７】
2019142622.tif 000020
【図１８】
2019142622.tif 000021
【図１９】
2019142622.tif 000022
【図２０】
2019142622.tif 000023
【図２１】
2019142622.tif 000024
【図２２】
2019142622.tif 000025
【図２３】
2019142622.tif 000026
【図２４】
2019142622.tif 000027
【図２５Ａ】
2019142622.tif 000028
【図２５Ｂ】
2019142622.tif 000029
【図２５Ｃ】
2019142622.tif 000030
【図２５Ｄ】
2019142622.tif 000031
【図２５Ｅ】
2019142622.tif 000032
【図２５Ｆ】
2019142622.tif 000033
【図２６】
2019142622.tif 000034
【図２７Ａ】
2019142622.tif 000035
【図２７Ｂ】
2019142622.tif 000036
【図２７Ｃ】
2019142622.tif 000037
【図２７Ｄ】
2019142622.tif 000038
【図２７Ｅ】
2019142622.tif 000039
【図２７Ｆ】
2019142622.tif 000040
【図２７Ｇ】
2019142622.tif 000041
【図２７Ｈ】
2019142622.tif 000042
【図２８】
2019142622.tif 000043
【図２９】
2019142622.tif 000044
【図３０Ａ】
2019142622.tif 000045
【図３０Ｂ】
2019142622.tif 000046
【図３０Ｃ】
2019142622.tif 000047
【図３０Ｄ】
2019142622.tif 000048
【図３０Ｅ】
2019142622.tif 000049
【図３０Ｆ】
2019142622.tif 000050
【図３０Ｇ】
2019142622.tif 000051
【図３１】
2019142622.tif 000052
【図３２】
2019142622.tif 000053
【図３３】
2019142622.tif 000054
【図３４】
2019142622.tif 000055
【図３５Ａ】
2019142622.tif 000056
【図３５Ｂ】
2019142622.tif 000057
【図３５Ｃ】
2019142622.tif 000058
【図３５Ｄ】
2019142622.tif 000059
【図３５Ｅ】
2019142622.tif 000060
【図３５Ｆ】
2019142622.tif 000061
【図３５Ｇ】
2019142622.tif 000062
【図３５Ｈ】
2019142622.tif 000063
【図３５Ｉ】
2019142622.tif 000064
【図３５Ｊ】
2019142622.tif 000065
【図３５Ｋ】
2019142622.tif 000066
【図３６Ａ】
2019142622.tif 000067
【図３６Ｂ】
2019142622.tif 000068
【図３６Ｃ】
2019142622.tif 000069
【国際調査報告】
2019142622.tif 000070
2019142622.tif 000071
2019142622.tif 000072